(57)【要約】【課題】アダプタの設置場所によらずにＬＡＮの設定を容易に行うことができる空気調和システムを提供する。【解決手段】空気調和機１０ａ，１０ｂは、室内機１１ａ，１１ｂに操作情報を送信するリモートコントローラ１５ａ，１５ｂを有している。空気調和機１０ａ，１０ｂは、リモートコントローラ１５ａ，１５ｂで操作できる。アダプタ２０ａ，２０ｂは、空気調和機１０ａ，１０ｂをＬＡＮ３５につなげてＬＡＮ３５を通じて空気調和機１０ａ，１０ｂから得られる情報を送信するために空気調和機１０ａ，１０ｂに取り付けられる。これら空気調和機１０ａ，１０ｂは、アダプタ２０ａ，２０ｂに対してリモートコントローラ１５ａ，１５ｂを用いてＬＡＮ３５に関する設定を行えるように構成されている。【選択図】図１
2015121392.tif 000002
【特許請求の範囲】
【請求項１】
本体（１１ａ，１１ｂ）と前記本体に操作情報を送信するリモートコントローラ（１５ａ，１５ｂ）とを有し、前記リモートコントローラで操作可能な空気調和機（１０ａ，１０ｂ）と、
前記空気調和機をＬＡＮ（３１）につなげて前記ＬＡＮを通じて前記空気調和機から得られる情報を送信するために前記空気調和機に設置されているＬＡＮ接続部（２０ａ，２０ｂ，１３ｃ）と
を備え、
前記空気調和機は、前記ＬＡＮ接続部に対して前記リモートコントローラを用いて前記ＬＡＮに関する設定を行えるように構成されている、空気調和システム。
【請求項２】
前記空気調和機は、前記リモートコントローラを用いた前記ＬＡＮに関する設定についての設定情報を通知するために、表示を行なう表示部（ＤＳ２，１１ａＬ，１１ｂＬ）及び音声を発生する音声部のうちの少なくとも一方を有する、
請求項１に記載の空気調和システム。
【請求項３】
前記空気調和機は、前記本体部が前記表示部としてＬＥＤ（１１ａＬ，１１ｂＬ）を有し、前記ＬＥＤを使って前記設定情報を表示する、
請求項２に記載の空気調和システム。
【請求項４】
前記空気調和機は、前記リモートコントローラが前記表示部として表示画面（ＤＳ２）を有し、前記空気調和機の前記本体が前記ＬＡＮ接続部から得る前記ＬＡＮに関する設定の情報を受信可能に構成され、前記リモートコントローラの前記表示画面に前記設定情報を表示する、
請求項２又は請求項３に記載の空気調和システム。
【請求項５】
前記ＬＡＮ接続部は、前記リモートコントローラを用いずに前記ＬＡＮに関する設定を行なうための設定ボタン（２７）を有する、
請求項１から４のいずれか一項に記載の空気調和システム。
【請求項６】
前記ＬＡＮ接続部は、アダプタ（２０ａ，２０ｂ）であり、
前記アダプタは、前記空気調和機の内部に取り付けられている、
請求項１から５のいずれか一項に記載の空気調和システム。
【発明の詳細な説明】
【技術分野】
【０００１】
本発明は、公衆回線を介して携帯端末に空調関連情報を提供可能な空気調和システムに関する。
【背景技術】
【０００２】
近年、外出中に携帯電話機から家庭の電気機器を簡単に操作する遠隔操作ができるように、携帯電話機と電気機器とを通信回線を使って接続する技術が普及してきている。例えば、特許文献１（特開２００２−２８１１６９号公報）には、遠隔操作アダプタを電気機器に取り付けて、遠隔操作アダプタを介して電気機器をインターネットに接続するシステムが開示されている。
【発明の概要】
【発明が解決しようとする課題】
【０００３】
上述の特許文献１に開示されているシステムでは、ユーザーが、携帯電話機を通じてＩＤおよびパスワードを入力する認証の作業を行なう。そして、正規のユーザーであるという認証が行われれば、ユーザーは、サービス提供事業者が提供する種々のサービスを携帯電話機に表示される各種の操作ボタンを使って受けることができる。
【０００４】
ところで、一般的なアダプタの場合、特に無線ＬＡＮによってネットワークに接続するアダプタの場合には、認証の作業などが行なえるようにするためにそのような作業の前に、アダプタを空気調和機に取り付ける際に無線ＬＡＮに関する設定が必要になることがある。
【０００５】
空気調和機の場合には、テレビ受像機や冷蔵庫や電気ポットなどの家庭用電気製品と異なって高所に取り付けられていることが多く、アダプタも空気調和機の近傍の高所に取り付けなければならない状況がしばしば発生する。このようにアダプタを高所に取り付けなければならない状況では、ユーザーや施工業者が高所で無線ＬＡＮに関する設定を行なわなければならなくなり、空気調和機を無線ＬＡＮにつなぐための作業が困難になる。
【０００６】
本発明の課題は、アダプタの設置場所によらずにＬＡＮの設定を容易に行うことができる空気調和システムを提供することにある。
【課題を解決するための手段】
【０００７】
本発明の第１観点に係る空気調和システムは、本体と本体に操作情報を送信するリモートコントローラとを有し、リモートコントローラで操作可能な空気調和機と、空気調和機をＬＡＮにつなげてＬＡＮを通じて空気調和機から得られる情報を送信するために空気調和機に設置されているＬＡＮ接続部とを備え、空気調和機は、ＬＡＮ接続部に対してリモートコントローラを用いてＬＡＮに関する設定を行えるように構成されている。
【０００８】
第１観点の空気調和システムにおいては、空気調和機を操作するリモートコントローラを用いてＬＡＮ接続部に対するＬＡＮに関する設定ができるので、ユーザーなどが作業困難な場所にＬＡＮ接続部を設置しなければならない場合でも、ＬＡＮ接続部の設置場所に関係なく、リモートコントローラを使ってＬＡＮの設定を行うことができる。
【０００９】
本発明の第２観点に係る空気調和システムは、第１観点に係る空気調和システムにおいて、空気調和機は、リモートコントローラを用いたＬＡＮに関する設定についての設定情報を通知するために、表示を行なう表示部及び音声を発生する音声部のうちの少なくとも一方を有する、ものである。
【００１０】
第２観点の空気調和システムにおいては、ＬＡＮの設定情報が表示部により表示されたり、音声部により音声で通知されたりするので、空気調和機の表示部及び／又は音声部を使って、設定の内容を確認しながらＬＡＮ接続部に対してＬＡＮに関する設定ができる。
【００１１】
本発明の第３観点に係る空気調和システムは、第２観点に係る空気調和システムにおいて、空気調和機は、本体部が表示部としてＬＥＤを有し、ＬＥＤを使って設定情報を表示する、ものである。
【００１２】
第３観点の空気調和システムにおいては、例えばリモートコントローラに表示画面がなかったり非双方向式であったりしてリモートコントローラを使って設定情報を操作者に通知できない場合でも、本体部のＬＥＤを使ってＬＡＮの設定情報が表示されると、操作者はＬＥＤを使ってＬＡＮ接続部に対する設定の内容を確認することができる。
【００１３】
本発明の第４観点に係る空気調和システムは、第２観点又は第３観点に係る空気調和システムにおいて、空気調和機は、リモートコントローラが表示部として表示画面を有し、空気調和機の本体がＬＡＮ接続部から得るＬＡＮに関する設定の情報を受信可能に構成され、リモートコントローラの表示画面に設定情報を表示する、ものである。
【００１４】
第４観点の空気調和システムにおいては、リモートコントローラの表示画面に設定情報が表示されるので、リモートコントローラを持つ手元で設定の内容を確認しながらＬＡＮに関する設定が行なえるようになる。
【００１５】
本発明の第５観点に係る空気調和システムは、第１観点から第４観点のいずれかに係る空気調和システムにおいて、ＬＡＮ接続部は、リモートコントローラを用いずにＬＡＮに関する設定を行なうための設定ボタンを有する、ものである。
【００１６】
第５観点の空気調和システムにおいては、空気調和機のリモートコントローラが使用できない状況であっても、リモートコントローラを用いずにＬＡＮに関する設定がＬＡＮ接続部の設定ボタンにより行なえる。
【００１７】
本発明の第６観点に係る空気調和システムは、第１観点から第５観点のいずれかに係る空気調和システムにおいて、ＬＡＮ接続部は、アダプタであり、アダプタは、空気調和機の内部に取り付けられている、ものである。
【００１８】
第６観点の空気調和システムにおいては、アダプタが空気調和機の内部に取り付けられているので、アダプタを空気調和機に取り付ける手間が省ける一方、アダプタのＬＡＮに関する設定がリモートコントローラにより行なえるので、設定のために空気調和機の内部のアダプタに対して行なわなければならない作業を省ける。
【発明の効果】
【００１９】
本発明の第１観点に係る空気調和システムによれば、リモートコントローラを用いてＬＡＮ接続部に対してＬＡＮに関する設定ができ、ＬＡＮ接続部の設置場所によらずにＬＡＮ接続部のＬＡＮの設定を容易に行うことができる空気調和システムを提供することができる。
【００２０】
第２観点に係る空気調和システムによれば、ＬＡＮ接続部に対するＬＡＮの設定をリモートコントローラで間接的に行なっても、空気調和機の表示部及び／又は音声部で設定の内容が確認できるので、ＬＡＮ接続部に対するＬＡＮに関する設定の誤操作を減らすことができる。
【００２１】
第３観点に係る空気調和システムによれば、本体部のＬＥＤを使ってＬＡＮ接続部の設定の内容の確認ができ、空気調和機においてＬＡＮ接続部の設定内容の確認が可能な空気調和機の機種を増やすことができる。
【００２２】
第４観点に係る空気調和システムによれば、ＬＡＮ接続部の設置場所が何処であってもＬＡＮ接続部に対する内容の確認が手元で行なえ、利便性が向上する。
【００２３】
第５観点に係る空気調和システムによれば、ＬＡＮ接続部が設定ボタンを有していることで、リモートコントローラが付属しない空気調和機ではＬＡＮ接続部に対してＬＡＮの設定ができなくなるという不都合を解消することができる。
【００２４】
第６観点に係る空気調和システムによれば、空気調和機及びアダプタの施工とＬＡＮに関する設定とに係る工数を削減することができる。
【図面の簡単な説明】
【００２５】
【図１】本発明の一実施形態に係る空気調和システムの概略構成を示す概念図。
【図２】空気調和機の構成を説明するための回路図。
【図３】室内機の構成の一例を示す断面図。
【図４】ＬＡＮに接続されたアダプタと空気調和機を説明するためのブロック図。
【図５】公衆回線に接続された外部サーバとスマートフォンを説明するためのブロック図。
【図６】（ａ）リモートコントローラの通常の表示画面を説明するための平面図、（ｂ）アダプタの接続設定時のリモートコントローラの表示画面を説明するための平面図。
【図７】空気調和機管理画面の一例を説明するための平面図。
【図８】ＬＡＮ機能を有する空気調和機を説明するためのブロック図。
【発明を実施するための形態】
【００２６】
（１）空気調和システムの構成の概要
以下、本発明の一実施形態に係る空気調和システムについて説明する。図１には、空気調和システムの全体構成の概要が示されている。空気調和システム１は、空気調和機１０ａ，１０ｂとアダプタ２０ａ，２０ｂとルータ３０とローカルエリアネットワーク３５（以下、無線ＬＡＮという）と外部サーバ４０とスマートフォン５０とを備えている。この無線ＬＡＮ３５は、無線を使ってネットワークを構築する。ここで説明する空気調和システム１は、空気調和機１０ａが天井埋め込み型であり、空気調和機１０ｂが壁埋め込み型である。
【００２７】
この空気調和システム１では、外部サーバ４０及びアダプタ２０ａ，２０ｂを使って、ユーザーが保有するスマートフォン５０から空気調和機１０ａ，１０ｂの情報を取得したり、空気調和機１０ａ，１０ｂを操作したりすることができるように構成されている。そのために、スマートフォン５０と外部サーバ４０とがインターネットに接続可能に構成されており、またルータ３０によってインターネットを介してサーバと４０とアダプタ２０ａ，２０ｂとを接続することができる構成となっている。
【００２８】
インターネットを含む公衆回線６０と、建物１００内に敷設されている無線ＬＡＮ３５とを接続するルータ３０が、建物１００に設置されている。無線ＬＡＮ３５は、ルータ３０の機能を利用した無線ＬＡＮであり、空気調和機１０ａ，１０ｂに有線で接続されたアダプタ２０ａ，２０ｂがルータ３０に無線接続されることによって構成されている。なお、アダプタ２０ａ，２０ｂの他に、建物１００内で使用される図示しないパーソナルコンピュータ、プリンタ等のネットワーク機器が無線ＬＡＮ３５にさらに接続されていてもよい。また、スマートフォン５０による外部サーバ４０を介した空気調和機１０ａ，１０ｂの管理をするためには、事前に各空気調和機１０ａ，１０ｂを外部サーバ４０に登録しておく必要があるが、そのための初期設定については後ほど説明する。
【００２９】
（２）空気調和システムの詳細構成
（２−１）空気調和機の構成
図１に示されているように、空気調和機１０ａ，１０ｂは、建物１００の各部屋１１０，１２０の中に設置される室内機１１ａ，１１ｂと、建物１００の外に設置される室外機１２ａ，１２ｂとから構成されている。なお、室内機１１ａ，１１ｂは、アダプタ２０ａ，２０ｂと１対１で接続されている。従って、空気調和機１０ａ，１０ｂの室内機１１ａ，１１ｂの室内制御装置１３ａ，１３ｂが設置される部屋１１０に、それぞれリモートコントローラ１５ａ及びアダプタ２０ａが設置され、空気調和機１０ａ，１０ｂが設置される建物１００にルータ３０が設置される。そして、空気調和機１０ａ，１０ｂは、このルータ３０を介して建物１００の外にある公衆回線６０に接続される。
【００３０】
室内機１１ａ，１１ｂと室外機１２ａ，１２ｂとは、冷媒配管によって接続されている。ここでは、室内機１１ａと室外機１２ａを有する空気調和機１０ａについて具体的な構成の一例について図２を用いて説明する。なお、空気調和機１０ｂと空気調和機１０ａはタイプが異なるが、空気調和機１０ｂも空気調和機１０ａと同じように蒸気圧縮式の冷媒回路によって構成できる。なお、図２において、各装置を繋ぐ実線は冷媒配管を表しており、各装置を繋ぐ破線は信号伝送線路を表している。
【００３１】
室外機１２ａは、室内に設置される室内機１１ａに冷媒配管によって接続されて、室内機１１ａとともに空気調和機１０ａの冷媒回路を構成する。そのために、冷媒配管や通信線や伝送線路などが通る連絡配管２１２によって室内機１１ａと室外機１２ａが連絡されている。図１に示されている冷媒回路を構成するために、室内機１１ａには、室内熱交換器２２１などが設けられ、室外機１２ａには、圧縮機２３１、四路切換弁２３２、室外熱交換器２３３、電動弁２３４及びアキュムレータ２３５などが設けられている。
【００３２】
圧縮機２３１の吐出側には四路切換弁２３２の第１ポートが接続されている。四路切換弁２３２の第２ポートには室外熱交換器２３３の一方の出入口が接続され、第３ポートにはアキュムレータ２３５が接続され、第４ポートには冷媒連絡配管２１２ｂが接続されている。四路切換弁２３２は、冷房時には実線で示されている経路に切り換えられ、暖房時に四路切換弁２３２は、破線で示されている経路に切り換えられる。
【００３３】
冷房時には、圧縮機２３１で圧縮されて吐出された冷媒が四路切換弁２３２を介して室外熱交換器２３３に送られる。冷房時には室外熱交換器２３３は凝縮器として働き、冷媒の凝縮により外気との熱交換が行われて熱を奪われた冷媒は、次に電動弁２３４に送られる。電動弁２３４は膨張弁として働き、高圧液状の冷媒が低圧の湿り蒸気の状態に変化する。このように電動弁２３４で膨張した冷媒は、冷媒連絡配管２１２ａを通って室内熱交換器２２１に入る。冷房時には室内熱交換器２２１は蒸発器として働き、冷媒の蒸発により室内空気と冷媒との間で熱交換が行われ、熱を奪って温度が上昇した冷媒は、冷媒連絡配管２１２ｂと四路切換弁２３２を通って、圧縮機２３１の吸入側に接続されているアキュムレータ２３５に送られる。
【００３４】
暖房時には、圧縮機２３１で圧縮されて吐出された冷媒が四路切換弁２３２から冷媒連絡配管２１２ｂを経由して凝縮器として働く室内熱交換器２２１に送られる。そして、冷房時とは逆の経路をたどって、蒸発器として働く室外熱交換器２３３を出た冷媒は圧縮機２３１に送られる。つまり、圧縮機２３１から、四路切換弁２３２、冷媒連絡配管２１２ｂ、室内熱交換器２２１、冷媒連絡配管２１２ａ、電動弁２３４、室外熱交換器２３３、四路切換弁２３２、アキュムレータ２３５を順に経て圧縮機２３１に戻る経路を冷媒が循環する。
【００３５】
室内機１１ａ及び室外機１２ａには、それぞれ、室内熱交換器２２１及び室外熱交換器２３３における熱交換を促すために、室内熱交換器２２１に室内空気を送る室内ファン２２２及び、室外熱交換器２３３に外気を送る室外ファン２３７が設けられている。
【００３６】
さらに、空気調和機１０ａにおける空気調和の動作を正しく効率よく行わせるために、空気調和機１０ａは、図２に示されている室内制御装置１３ａ及び室外制御装置１４ａを含み、室内制御装置１３ａが室内機１１ａの中に組み込まれ、室外制御装置１４ａが室外機１２ａの中に組み込まれている。また、室内機１１ａは、アダプタ２０ａを内蔵している。
【００３７】
（２−１−１）室内機
図３は、天井に取り付けられている室内機の断面図である。室内機１１ａは、天井埋込型であり、内部に各種構成機器を収納するケーシング２２０と、ケーシング２２０の下側に配置された化粧パネル２２３とを備えている。室内機１１ａのケーシング２２０は、図３に示されているように、空調室の天井ＣＥに形成された開口に挿入されて設置されている。そして、化粧パネル２２３は、天井ＣＥの開口に嵌め込まれて設置されている。
【００３８】
ケーシング２２０内には、室内ファン２２２が配置されている。室内ファン２２２は、ターボファンであり、ケーシング２２０の天板の中央部に設けられたファンモータ２２２ｍに連結されて回転駆動されるターボ羽根車２２２ｗを有している。室内ファン２２２は、ターボ羽根車２２２ｗの回転によって、ターボ羽根車２２２ｗの下側から室内ＲＭの空気を吸入し、ターボ羽根車２２２ｗの外周側に吸入した空気を吹き出すようになっている。室内ファン２２２の下側には、室内ファン２２２へ空気を案内するためのベルマウス２２２ｂが配置されている。
【００３９】
ケーシング２２０の下側に配置された化粧パネル２２３は、その中央部に形成された吸込口２２０ｉと、側縁部に形成された複数個（例えば、４個）の吹出口２２０ｔとを有している。また、化粧パネル２２３の吸込口２２０ｉには、吸込口２２０ｉから吸込まれた空気中の塵埃を除去するためのフィルタ２２８が設けられている。
【００４０】
以上のように、室内機１１ａには、化粧パネル２２３の吸込口２２０ｉからフィルタ２２８、ベルマウス２２２ｂ、室内ファン２２２及び室内熱交換器２２１を経由して、吹出口２２０ｔへ至る空気流路ｒ１が形成されている。このような空気流路ｒ１を通って室内ＲＭとケーシング２２０内との間を循環する室内空気の熱交換が室内熱交換器２２１によって行なわれる。そして、空気流路ｒ１を通って天井ＣＥから室内ＲＭに向かって下方に吹出される空気流の風向は、フラップ２２０ｃによって調節される。室内機１１ａのケーシング２２０内に設置されている室内温度センサ２２６は、例えば室内機１１ａの室内空気の吸込口２２０ｉに設けられており、空気流路ｒ１を通って循環する室内空気の温度を計測する。
【００４１】
また、室内機１１ａの化粧パネル２２３から下方に向かって露出して、複数のＬＥＤ（Light Emitting Diode）１１ａＬが取り付けられている。これらＬＥＤ１１ａＬの点灯は、室内制御装置１３ａによって制御される。この室内機１１ａが有するＬＥＤ１１ａＬは、図１に示されている、運転表示用ランプＬ１とタイマ表示用ランプＬ２とを含んでいる。運転表示用ランプＬ１は、室内機１１ａの運転状態に関する表示を行なうためのものである。また、タイマ表示用ランプＬ２は、室内制御装置１３ａが内蔵しているタイマ（図示せず）の設定状態及びタイマの作動状態などを確認する際に用いられる。同様のＬＥＤ１１ｂＬが室内機１１ｂに設けられている（図１参照）。
【００４２】
また、室内機１１ａには、例えばケーシング２２０の内面にアダプタ２０ａが取り付けられて内蔵されている。アダプタ２０ａのＳＥＴＵＰボタン２７及びＭＯＤＥボタン２８は、天井ＣＥに入ったユーザー及び取り付け作業者が手で操作できるように、例えばケーシング２２０の外に突出している。
【００４３】
（２−１−２）空気調和機の制御系統
図１に示されているように、室内制御装置１３ａ，１３ｂは、空気調和機１０ａ，１０ｂに関する機能情報をアダプタ２０ａ，２０ｂに送信する。例えば、室内制御装置１３ａ，１３ｂは、リモートコントローラ１５ａ，１５ｂを介して入力された室内機１１ａ，１１ｂに対する運転指令の内容を示す情報を、機能情報としてアダプタ２０ａ，２０ｂに送信する。このような運転指令を送信したり、種々の情報を受信して処理したりするために、リモートコントローラ１５ａは、室内制御装置１３ａと送受信を行なうための通信部１５１と、ＣＰＵ（中央演算処理装置）などを含む制御部１５２と、メモリなどを含む記憶部１５３と、表示画面ＤＳ２及び操作ボタンなどを含む入出力部１５４とを備えている。このような構成については、リモートコントローラ１５ｂも同様である。運転指令の内容を示す情報とは、空気調和機１０ａ，１０ｂの運転開始／運転停止、運転モード（冷房モード、暖房モード、送風モードなど）、設定温度及び室外温度表示のオンオフの設定内容などである。また、室内制御装置１３ａ，１３ｂは、アダプタ２０ａ，２０ｂの初期設定時においては、アダプタ２０ａのＳＥＴＵＰボタン２７及びＭＯＤＥボタン２８の操作によってアダプタ２０ａに与えられる情報と同じ情報をアダプタ２０ａに与えられるように構成されている。
【００４４】
また、室内制御装置１３ａは、アダプタ２０ａ，２０ｂ及びリモートコントローラ１５ａから送信されてくる制御指令を実行する。アダプタ２０ａ，２０ｂ及びリモートコントローラ１５ａから送信されてくる制御指令とは、例えば、室内機１１ａ，１１ｂに対する運転指令であったり、特定の機能情報をアダプタ２０ａ，２０ｂに送信するよう命じるものであったりする。このような機器情報の一種である機能情報は、空気調和機１０ａであれば、図４に示されている制御部１３２ａによって記憶部１３３ａの機器情報記憶領域３Ｍ２ａの機能設定情報記憶領域３Ａ２ａに記憶される。また、機能情報は、アダプタ２０ａであれば、図４に示されている制御部２２ａによって記憶部２３ａの機器情報記憶領域２Ｍ２ａの機能設定情報記憶領域２Ａ２ａに記憶される。また、機能情報は、外部サーバ４０であれば、図５に示されている制御部４２によって記憶部４３の機器情報記憶領域４Ｍ２の機能設定情報記憶領域４Ａ２に記憶される。さらに、機能情報は、スマートフォン５０であれば、図５に示されている制御部５２によって記憶部５３の機器情報記憶領域５Ｍ２の機能設定情報記憶領域５Ａ２に記憶される。
【００４５】
室内制御装置１３ａ，１３ｂは、室内温度及び外気温度に関する温度データや室内湿度に関する湿度データをアダプタ２０ａ，２０ｂ及びリモートコントローラ１５ａに送信する。例えば、室内制御装置１３ａ，１３ｂは、室外温度センサ２４５ａ，２４５ｂによって検出された外気温度データをアダプタ２０ａ，２０ｂ及びリモートコントローラ１５ａに送信する。このような環境情報は、空気調和機１０ａであれば、図４に示されている制御部１３２ａによって記憶部１３３ａの環境情報記憶領域３Ｍ３ａに記憶される。また、環境情報は、アダプタ２０ａであれば、図４に示されている制御部２２ａによって記憶部２３ａの環境情報記憶領域２Ｍ３ａに記憶される。また、環境情報は、外部サーバ４０であれば、図５に示されている制御部４２によって記憶部４３の環境情報記憶領域４Ｍ３に記憶される。また、環境情報は、スマートフォン５０であれば、図５に示されている制御部５２によって記憶部５３の環境情報記憶領域５Ｍ３に記憶される。さらに、環境情報は、リモートコントローラ１５ａに記憶され、リモートコントローラ１５ａの表示画面に表示される。
【００４６】
図１、図２及び図４に示されているように、室内制御装置１３ａと室外制御装置１４ａとは、通信線を介して互いに接続されて互いにデータの送受信を行っている。また、リモートコントローラ１５ａ及びアダプタ２０ａなどが室内機１１ａに通信可能に接続され、室内機１１ａとリモートコントローラ１５ａなどの筐体の外部にある機器及びアダプタ２０ａなどの内蔵されている機器との間でも通信が行われている。室内制御装置１３ａは、ＣＰＵ（中央演算処理装置）などを含む制御部１３２ａとメモリなどを含む記憶部１３３ａと周辺回路（図示せず）で構成されている。この室内制御装置１３ａの記憶部１３３ａには、制御プログラム及び制御データが記憶されている。制御部１３２ａは、記憶部１３３ａの制御プログラム及び制御データを用いて制御を行なう。この記憶部１３３ａの制御プログラム及び制御データによって、アダプタ２０ａのＳＥＴＵＰボタン２７及びＭＯＤＥボタン２８の操作によりアダプタ２０ａに与えられる指令と同じ指令を室内制御装置１３ａの制御部１３２ａがアダプタ２０ａの制御部２２ａに与えるための機能が実現される。また、記憶部１３３ａには、機器情報記憶領域３Ｍ２ａと環境情報記憶領域３Ｍ３ａとが確保されている。機器情報記憶領域３Ｍ２ａは、空気調和機１０ａの機器情報を保存しておくための記憶領域である。環境情報記憶領域３Ｍ３ａは、空気調和機１０ａが置かれた環境つまり室内や室外の温度及び湿度などに関する環境情報を保存しておくための記憶領域である。さらに機器情報記憶領域２Ｍ２ａには機能設定情報記憶領域２Ａ２ａが確保されており、機能設定情報記憶領域２Ａ２ａは、空気調和機１０ａの機能設定データを保存しておくための記憶領域である。機能設定情報とは、運転指令によって設定された空気調和機１０ａが現在有している設定状態の内容を示すデータである。室外制御装置１４ａも、ＣＰＵ（中央演算処理装置）などを含む制御部１４２ａとメモリなどを含む記憶部１４３ａや周辺回路（図示せず）で構成されている。この室外制御装置１４ａの記憶部１４３ａには、制御プログラム及び制御データが記憶されている。制御部１４２ａは、記憶部１４３ａの制御プログラム及び制御データを用いて制御を行なう。
【００４７】
室内機１１ａには、室内熱交換器２２１の出入口の冷媒の温度を測定するための液側温度センサ２２４とガス側温度センサ２２５が設けられ、室内空気の温度を測定するための室内温度センサ２２６が設けられている。これらの温度センサ２２４〜２２６で測定された温度値は、室内制御装置１３ａに送信される。また、室内機１１ａには、室内の湿度を測定するための湿度センサ２２７が設けられており、湿度センサ２２７で測定された湿度値も室内制御装置１３ａに送信される。さらに、室内制御装置１３ａには、室内ファン２２２のファンモータ及びフラップ２２０ｃの風向調節機構などが接続されている。この室内制御装置１３ａにより、例えば室内ファン２２２のファンモータの回転数や運転・停止が制御される。室内制御装置１３ａにより、風向調節機構がフラップ２２０ｃの角度を変更することにより、吹出口から室内に吹き出される調和空気の向きが調節される。
【００４８】
室外機１２ａには、室外機１２ａの各部の温度を測定するため、室外熱交換器温度センサ２４１、熱交換器出入口温度センサ２４２、吸入側温度センサ２４３、吐出側温度センサ２４４及び室外温度センサ２４５などが設けられている。これらの温度センサ２４１〜２４５で測定された温度値は、室外制御装置１４ａに送信される。また、室外機１２ａには、各部の冷媒の圧力を測定するために吸入側圧力センサ２４６及び吐出側圧力センサ２４７などの圧力センサが設けられており、測定された冷媒の圧力値は、室外制御装置１４ａに送信される。
【００４９】
室外制御装置１４ａには、圧縮機２３１のモータ、四路切換弁２３２、電動弁２３４及び室外ファン２３７のファンモータが接続されている。この室外制御装置１４ａにより、例えば圧縮機２３１のモータや室外ファン２３７のファンモータの回転数やそれらの運転・停止が制御され、四路切換弁２３２の切換えが制御され、電動弁２３４の開度が制御される。
【００５０】
（２−２）ネットワーク
空気調和システム１は、公衆回線６０を使ったインターネットや無線ＬＡＮ３５などのネットワークを利用して、空気調和機１０ａ，１０ｂとスマートフォン５０との間で情報の遣り取りが行なえるように構成されている。このような情報の遣り取りが行えるようにするため、空気調和システム１は、アダプタ２０ａ，２０ｂが接続されるルータ３０と、外部サーバ４０と、スマートフォン５０が公衆回線６０を使ったインターネット及び無線ＬＡＮ３５のネットワークに接続できる構成になっている。
【００５１】
（２−２−１）アダプタ２０ａ，２０ｂ
アダプタ２０ａ，２０ｂは、空気調和機１０ａ，１０ｂを無線ＬＡＮ３５に接続するためのネットワークアダプタであって、本実施形態ではアダプタ２０ａが室内機１１ａに内蔵され，アダプタ２０ｂが室内機１１ｂに外付けされている。ただし、アダプタ２０ｂは室内機１１ｂの一部と同じように壁の内部に埋め込まれている。アダプタ２０ａ，２０ｂが内蔵されたり、埋め込まれたりしているため、後ほど詳しく説明するが、アダプタ２０ａ，２０ｂの接続設定の機能が室内機１１ａ，１１ｂに組み込まれており、アダプタ２０ａ，２０ｂもこのような室内機１１，１１ｂの機能に対応できるように構成されている。なお、アダプタ２０ａ，２０ｂには同じ構成を採用することができるので、ここではアダプタ２０ａの構成について説明し、他のアダプタ２０ｂの構成については説明を省略する。
【００５２】
アダプタ２０ａは、図４に示されているように、通信部２１ａと制御部２２ａと記憶部２３ａとタイマ２４ａとを有しており、空気調和機１０ａを無線ＬＡＮ３５に接続する接続機能の他、空気調和機１０ａを制御する制御機能を有している。
【００５３】
記憶部２３ａには、制御プログラム及び制御データが記憶されている。制御部２２ａは、記憶部２３ａの制御プログラム及び制御データを用いて制御を行なう。この制御プログラム及び制御データは、例えばＷＰＳ（Wi-Fi Protected Setup）に対応しており、ルータ３０の有するＷＰＳ機能によって無線ＬＡＮ３５への接続が容易に行なえるようになっている。そして、ＷＰＳに対応している機能を起動させるための接続設定が室内機１１ｂからできるようにプログラムされている。また、記憶部２３ａには、機器情報記憶領域２Ｍ２ａと環境情報記憶領域２Ｍ３ａとが確保されている。機器情報記憶領域２Ｍ２ａは、空気調和機１０ａから送信されてくる機器情報を一時的に保存しておくための記憶領域である。環境情報記憶領域２Ｍ３ａは、空気調和機１０ａから送信されてくる温度や湿度に関する環境情報を一時的に保存しておくための記憶領域である。さらに機器情報記憶領域２Ｍ２ａには機能設定情報記憶領域２Ａ２ａが確保されており、機能設定情報記憶領域２Ａ２ａは、空気調和機１０ａから送信されてくる機能設定情報を一時的に保存しておくための記憶領域である。
【００５４】
そして、制御部２２ａは、タイマ２４ａを使って定期的に（例えば１分毎に）機器情報記憶領域２Ｍ２ａ内の機器情報及び環境情報記憶領域２Ｍ３ａ内の環境情報を定期発報データに含めて外部サーバ４０に送信する。この定期発報データは、定期的にアダプタ２０ａ，２０ｂから外部サーバ４０に送信される空調関連情報である。
【００５５】
また、記憶部２３ａには、サーバアドレス及びアダプタ２０ａの識別番号が予め記憶されている。さらに、記憶部２３ａには、外部サーバ４０に割り当てられた機器ＩＤが記憶されている。機器ＩＤは、外部サーバ４０上でアダプタ２０ａを一意に識別する情報となる。記憶部２３ａには、これら識別番号や機器ＩＤを記憶するための通信設定用情報記憶領域２Ｍ１ａが確保されている。
【００５６】
さらに、例えばアダプタ２０ａには、種々の設定を行なうために、ＳＥＴＵＰボタン２７及びＭＯＤＥボタン２８が設けられている。ＳＥＴＵＰボタン２７及びＭＯＤＥボタン２８は制御部２２ａに接続されている。また、種々の設定の確認を行なうために、ＬＥＤ２０ａＬが設けられている。
【００５７】
（２−２−２）ルータ３０
ルータ３０は、アダプタ２０ａ，２０ｂが無線ＬＡＮ３５に接続されると、アダプタ２０ａ，２０ｂの存在を自動的に検出し、アダプタ２０ａ，２０ｂのネットワーク情報の登録を行う。そのために必要な機能として、ルータ３０は、例えばＷＰＳ機能を有しており、ＷＰＳ機能を動作させるためのＷＰＳボタン３１を持っている。また、ルータ３０の動作状態の確認のためにＬＥＤ３０Ｌを持っている。例えば、最初にアダプタ２０ａを無線ＬＡＮ３５に最初に接続するときには、ルータ３０のＷＰＳボタン３１とアダプタ２０ａのＳＥＴＵＰボタン２７を同時に押し、アダプタ２０ａとルータ３０の接続設定が先ず行なわれる。この接続設定によりルータ３０がアダプタ２０ａ，２０ｂの存在を検出してネットワーク情報の登録が行なわれると、アダプタ２０ａ，２０ｂは、無線ＬＡＮ３５内の他のネットワーク機器、及び公衆回線６０上のネットワーク機器との通信が可能になる。ルータ３０は、データを２つ以上の異なるネットワーク間に中継する通信機器であって、ここでは公衆回線６０を使ったインターネットと無線ＬＡＮ３５との中継を行なう通信機能を有しており、アダプタ２０ａ，２０ｂと外部サーバ４０との中継を行なっている。
【００５８】
（２−２−３）外部サーバ４０
図５に示されているように、外部サーバ４０は、通信部４１と制御部４２と記憶部４３とを有している。通信部４１は、外部サーバ４０の通信機能を担っており、外部サーバ４０の公衆回線６０を介したインターネットへの接続を可能にし、外部サーバ４０を経由した空気調和機１０ａ，１０ｂとスマートフォン５０との通信を可能にする。
【００５９】
記憶部４３には、空気調和機１０ａ，１０ｂに関する各種データを蓄積するための様々なデータベースが定義されている。例えば、記憶部４３には、アダプタ２０ａ，２０ｂから外部サーバ４０へとインターネットを介して送信されてくる、定期発報データを蓄積する空調関連情報データベースＤＢ３が定義されている。ここで空調関連情報とは、空気調和機及びその環境など空気調和機の運転に関連する情報である。なお、空調関連情報データベースＤＢ３には、空気調和機１０ａ，１０ｂに関する各種データが当該空気調和機１０ａ，１０ｂに接続されているアダプタ２０ａ，２０ｂに割り当てられた機器ＩＤに関連付けられた態様で格納される。スマートフォン５０から外部サーバ４０にアクセスして空調関連情報データベースＤＢ３を用いて、アダプタ２０ａ，２０ｂ毎に、すなわち空気調和機１０ａ，１０ｂ毎に、空気調和機１０ａ，１０ｂに関する各種データの管理が実行される。
【００６０】
また、記憶部４３には、空気調和機１０ａ，１０ｂに関する基本的な登録情報（以下、基本情報）を格納する基本情報データベースＤＢ１が定義されている。基本情報データベースＤＢ１には、アダプタ２０ａ，２０ｂの機器ＩＤ、当該アダプタ２０ａ，２０ｂが接続された空気調和機１０ａ，１０ｂの保有する各種機能に関するデータなどが１つのレコードとして格納される。基本情報データベースＤＢ１内のレコードは、空気調和機１０ａ，１０ｂに１対１で対応する。
【００６１】
さらに、記憶部４３には、空気調和機１０ａ，１０ｂのユーザーによる各種設定に関する情報を格納するアクセス情報データベースＤＢ２が定義されている。アクセス情報データベースＤＢ２には、登録された空気調和機１０ａ，１０ｂのアダプタ２０ａ，２０ｂの機器ＩＤ、該空気調和機１０ａ，１０ｂに対してユーザーが任意で設定した機器名称、当該空気調和機１０ａ，１０ｂのユーザーに割り当てられているログインＩＤ及びパスワードを含むユーザーの個人情報などが１つのレコードとして格納される。パスワードは、ユーザーが外部サーバ４０にログインＩＤでログインする際のログイン権限を認証するためのものである。アクセス情報データベースＤＢ２内のレコードは、ユーザーの権限に１対１で対応する。
【００６２】
制御部４２は、ＣＰＵ、ＲＡＭ及びＲＯＭ等から構成されており、記憶部４３に記憶されている制御プログラムを実行する。また、制御部４２は、上記データベースに格納されている各種データを、公衆回線６０を使ったインターネットを介してユーザーのスマートフォン５０に送信する。なお、制御部４２は、インターネットを介したスマートフォン５０からの情報送信要求に応じて、スマートフォン５０に各種データを送信することができるように構成されている。また、制御部４２は、インターネットを介してスマートフォン５０から受信した操作情報を制御指令としてアダプタ２０ａ，２０ｂに送信する。なお、この制御指令は、アダプタ２０ａ，２０ｂからの定期発報データを受けた時に外部サーバ４０からアダプタ２０ａ，２０ｂに対して送信される。また、各空気調和機１０ａ，１０ｂはアダプタ２０ａ，２０ｂの機器ＩＤにより識別されている。
【００６３】
（２−３）スマートフォン５０
以下より、携帯端末としてスマートフォン５０が採用されている場合を例として説明する。図５に示されているように、スマートフォン５０は、通信部５１と制御部５２と記憶部５３と入出力部５４とを有している。通信部５１は、通話機能の他、公衆回線６０を介したインターネットへの接続を可能にする機能を持っている。制御部５２は、ＣＰＵ、ＲＡＭ及びＲＯＭ等からなり、記憶部５３はフラッシュメモリ等からなる。入出力部５４は、表示画面ＤＳ１を含むタッチスクリーンで形成されている。
【００６４】
スマートフォン５０には、スマートフォン５０により空気調和機１０ａ，１０ｂを管理するための空調管理プログラムが搭載される。記憶部５３に記憶されている空調管理アプリケーションＡＰ１が、空調管理プログラムである。空調管理アプリケーションＡＰ１は、例えば公衆回線６０を介してインターネットに接続して外部サーバ４０からダウンロードすることができるように構成されている。ユーザーは、空調管理アプリケーションＡＰ１により生成され表示画面ＤＳ１に提供される画像を介して、空気調和機１０ａ，１０ｂの機器設定、及び空気調和機１０ａ，１０ｂの操作などを行う。なお、空調管理アプリケーションＡＰ１には、サーバアドレスが保持されている。
【００６５】
（３）各種設定
（３−１）初期設定
これらアダプタ２０ａ，２０ｂは、空気調和機１０ａ，１０ｂ及びルータ３０に接続されると、空気調和機１０ａ，１０ｂ及びアダプタ２０ａ、２０ｂを外部サーバ４０に登録するための初期設定をそれぞれ自動的に実行する。この自動の初期設定を始めさせるために、接続設定が先ず行なわれる。
【００６６】
（３−１−１）接続設定
通常の接続設定では、例えば、まずアダプタ２０ａのＭＯＤＥボタン２８（図３参照）を「長押し」となるように所定時間押してアダプタ２０ａが接続設定できるスタンバイ状態にする。そして、ルータ３０のＷＰＳボタン３１を「長押し」となるように所定時間押す。さらに、アダプタ２０ａのＳＥＴＵＰボタン２７（図３参照）を「長押し」となるように所定時間押す。
【００６７】
ところが、アダプタ２０ａは室内機１１ａに内蔵され、アダプタ２０ｂは建物１００の壁に埋め込まれているので、ボタンを押すという作業が困難になっている。このような場合には、リモートコントローラ１５ａ，１５ｂを使って接続設定が行なえる。以下、リモートコントローラ１５ａを例に挙げて、このような接続設定について説明する。
【００６８】
リモートコントローラ１５ａは、例えば入出力部１５４の特定のボタン（例えば「自動ボタン」など）が「長押し」となるように所定時間押されると、制御部１５２がアダプタ２０ａをセットアップモードにするように指示されたことを認識する。セットアップモードにすることを指示されると、制御部１５２は、記憶部１５３に記憶されているプログラムに従って、表示画面ＤＳ２の表示を図６（ａ）に記載されている通常の表示から、図６（ｂ）に記載されているセットアップモードの表示に切り換える。
【００６９】
セットアップモードで表示画面に表示される数字は、「１」が設定状態の確認モードを示しており、「２」がＷＰＳの設定モードを示しており、「３」がＡＰモード切換のモードを示しており、「４」がＲＵＮモード切換のモードを示しており、「５」がアダプタ初期化モードを示している。これらのモードは、入出力部１５４のモード切換ボタンを押すことによって切り換えることができる。そして、入出力部１５４の決定ボタンを押すことにより、表示されている数字のモードでの設定が行なわれる。ここでＡＰモードとは、スマートフォン５０にルータ３０が直接、無線ＬＡＮ接続するモードである。そして、ＲＵＮモードとは、アダプタ２０ａがルータ３０に無線ＬＡＮ接続するモードである。
【００７０】
表示画面ＤＳ２に「１」が表示されている状態でリモートコントローラ１５ａの入出力部１５４の決定ボタンが押されると、制御部１５２は、設定状態を確認するための設定状態確認モードに移行するように、室内機１１ａの室内制御装置１３ａに対して指令を通信部１５１から送信する。確認モードに移行する指令を受信した室内制御装置１３ａは、制御部１３２ａによってアダプタ２０ａの制御部２２ａとの間で情報の交換を行う。そして、アダプタ２０ａが「接続済」であるか、または「未接続」であるかを示す情報を制御部１３２ａは制御部２２ａから取得する。「接続済」の状態とは、既にアダプタ２０ａとルータ３０との接続設定が完了した状態であり、「未接続」の状態とは、アダプタ２０ａとルータ３０との接続設定が完了していない状態である。次に、室内制御装置１３ａの制御部１３２ａは、取得した情報が「接続済」であれば、タイマ表示用ランプＬ２に比較的長いインターバルで点滅を繰り返させる。もし、取得した情報が「未接続」であれば、運転表示用ランプＬ１とタイマ表示用ランプＬ２に交互の点滅を繰り返させる。この運転表示用ランプＬ１とタイマ表示用ランプＬ２による交互の点滅は、ＲＵＮモードであることを表している。もし、ＡＰモードであれば、制御部１３２ａは、運転表示用ランプＬ１に比較的長いインターバルで点滅を繰り返させる。
【００７１】
もし「未接続」であれば、ユーザーは、アダプタ２０ａとルータ３０の接続を行なうためにリモートコントローラ１５ａの入出力部１５４のモード切換ボタンを押して表示画面ＤＳ２に数字の「２」が表示される状態に切り換える。また、ルータ３０のＷＰＳボタン３１を「長押し」となるように所定時間押す。そして、表示画面ＤＳ２に数字の「２」が表示されたことを確認して、ユーザーは、決定ボタンを押してＷＰＳ設定モードにする。
【００７２】
表示画面ＤＳ２に「２」が表示されている状態でリモートコントローラ１５ａの入出力部１５４の決定ボタンが押されると、制御部１５２は、ＷＰＳ設定モードに移行するように、室内機１１ａの室内制御装置１３ａに対して指令を通信部１５１から送信する。ＷＰＳ設定モードに移行する指令を受信した室内制御装置１３ａは、制御部１３２ａによってアダプタ２０ａの制御部２２ａに対して、ＷＰＳ機能に対応するように指令を与える。つまり、この指令を受けたアダプタ２０ａは、アダプタ２０ａでＳＥＴＵＰボタン２７が「長押し」となるように所定時間押された状態と同じ状況になる。
【００７３】
室内制御装置１３ａの制御部１３２ａからアダプタ２０ａの制御部２２ａにＷＰＳ機能に対応するように指令が与えられると、「ＷＰＳ中」の状態ということになる。「ＷＰＳ中」の状態においては、室内制御装置１３ａの制御部１３２ａは、タイマ表示用ランプＬ２に比較的短いインターバルで点滅を繰り返させる。そして、ＷＰＳによる設定が終了すると、タイマ表示用ランプＬ２が消灯する。
【００７４】
スマートフォン５０をルータ３０に直接無線ＬＡＮ接続する際には、ユーザーは、リモートコントローラ１５ａの入出力部１５４のモード切換ボタンで表示画面ＤＳ２に数字の「３」が表示された状態に切り換えて、入出力部１５４の決定ボタンを押す。表示画面ＤＳ２に「３」が表示されている状態でリモートコントローラ１５ａの入出力部１５４の決定ボタンが押されると、制御部１５２は、ＡＰモードに移行するように、室内機１１ａの室内制御装置１３ａに対して指令を通信部１５１から送信する。ＡＰモードに移行する指令を受信した室内制御装置１３ａは、制御部１３２ａによってアダプタ２０ａの制御部２２ａに対して、ＡＰモードに移行するように指令を与える。つまり、この指令を受けたアダプタ２０ａは、アダプタ２０ａがＲＵＮモードになっている状態で、ＭＯＤＥボタン２８が「長押し」となるように所定時間押された状態と同じ状況になる。それにより、スマートフォン５０はルータ３０に直接無線ＬＡＮ接続し得る状態になる。このとき、室内制御装置１３ａの制御部１３２ａは、運転表示用ランプＬ１に比較的長いインターバルで点滅を繰り返させる。
【００７５】
逆に、ルータ３０がＡＰモードになっているときに、ＲＵＮモードにしたいときには、ユーザーは、リモートコントローラ１５ａの入出力部１５４のモード切換ボタンで表示画面ＤＳ２に数字の「４」が表示された状態に切り換えて、入出力部１５４の決定ボタンを押す。表示画面ＤＳ２に「４」が表示されている状態でリモートコントローラ１５ａの入出力部１５４の決定ボタンが押されると、制御部１５２は、ＲＵＮモードに移行するように、室内機１１ａの室内制御装置１３ａに対して指令を通信部１５１から送信する。ＲＵＮモードに移行する指令を受信した室内制御装置１３ａは、制御部１３２ａによってアダプタ２０ａの制御部２２ａに対して、ＲＵＮモードに移行するように指令を与える。このときのＬＥＤ１１ａＬの表示は、設定状態確認モードの場合と同じになる。
【００７６】
アダプタ２０ａを初期化したいときには、ユーザーは、リモートコントローラ１５ａの入出力部１５４のモード切換ボタンで表示画面ＤＳ２に数字の「５」が表示された状態に切り換えて、入出力部１５４の決定ボタンを押す。表示画面ＤＳ２に「５」が表示されている状態でリモートコントローラ１５ａの入出力部１５４の決定ボタンが押されると、制御部１５２は、アダプタ２０ａを初期化するように、室内機１１ａの室内制御装置１３ａに対して指令を通信部１５１から送信する。アダプタ２０ａの初期化の指令を受信した室内制御装置１３ａは、制御部１３２ａによってアダプタ２０ａの制御部２２ａに対して、初期化を行なうように指令を与える。つまり、この指令を受けたアダプタ２０ａは、アダプタ２０ａがＳＥＴＵＰボタン２７とＭＯＤＥボタン２８が同時に「長押し」となるように所定時間押された状態と同じ状況になり、初期化される。
【００７７】
（３−１−２）接続設定後の設定
アダプタ２０ａは、無線ＬＡＮ３５に接続されると、例えば、アダプタ２０ａの通信部２１ａから外部サーバ４０の通信部４１にルータ３０を介して自動的に識別番号を外部サーバ４０に送信するようにプログラムされている。アダプタ２０ｂも、同様に、ルータ３０を介して自動的に識別番号を外部サーバ４０に送信するようにプログラムされている。
【００７８】
外部サーバ４０の制御部４２は、アダプタ２０ａ，２０ｂから識別番号を受信すると、各アダプタ２０ａ，２０ｂの識別番号毎にそれぞれ個別の機器ＩＤを作成して識別番号と作成した該機器ＩＤとを関連付け、基本情報データベースＤＢ１に登録する。また、外部サーバ４０の制御部４２は、該機器ＩＤを、対応するアダプタ２０ａ，２０ｂに送信する。
【００７９】
アダプタ２０ａ，２０ｂは、外部サーバ４０から機器ＩＤを受信すると、機器ＩＤを記憶部２３ａに記憶する。次に、アダプタ２０ａ，２０ｂは、各アダプタ２０ａ，２０ｂに接続されている空気調和機１０ａ，１０ｂの保有する各種機能に関するデータを外部サーバ４０に送信する。
【００８０】
外部サーバ４０の通信部４１がアダプタ２０ａ，２０ｂから空気調和機１０ａ，１０ｂの保有する各種機能に関するデータを受信すると、制御部４２は、各アダプタ２０ａ，２０ｂの機器ＩＤと空気調和機１０ａ，１０ｂの保有する各種機能に関するデータとを関連付けて、記憶部４３の基本情報データベースＤＢ１に登録する。これにより、外部サーバ４０に空気調和機１０ａ，１０ｂの登録が行われ、空気調和機１０ａ，１０ｂの初期設定が終了する。
【００８１】
このような初期設定が終了すると、外部サーバ４０とアダプタ２０ａ，２０ｂとが互いの存在を識別しながら、公衆回線６０を使ったインターネットを介して相互にデータを交換することができるようになる。
【００８２】
（３−２）空気調和機の機器設定
空気調和機１０ａ，１０ｂの機器設定は、スマートフォン５０を操作して行う設定であり、空気調和機１０ａ，１０ｂの初期設定後に実行される。ユーザーは、スマートフォン５０に搭載されている空調管理アプリケーションＡＰ１を起動し、外部サーバ４０にアクセスする。そして、スマートフォン５０を使って、機器名称や機器設置場所や外部からの操作の可否などの設定を行う。このような機器設定に関する情報は、スマートフォン５０の機器情報記憶領域５Ｍ２の機器設定情報記憶領域５Ａ１と、外部サーバ４０の機器情報記憶領域４Ｍ２の機器設定情報記憶領域４Ａ１と、アダプタ２０ａ，２０ｂに記憶される。例えば、アダプタ２０ａであれば、機器設定に関する情報が、記憶部２３ａの機器情報記憶領域２Ｍ２ａの機器設定情報記憶領域２Ａ１ａに記憶される。
【００８３】
（４）空調管理アプリケーションを用いた空気調和機の監視、操作
スマートフォン５０によって、空調管理アプリケーションＡＰ１を起動させて行う空気調和機１０ａ，１０ｂの監視及び操作について簡単に説明する。建物１００の外部において、スマートフォン５０の空調管理アプリケーションＡＰ１が起動され、ユーザーによってログインＩＤおよびパスワードが入力されると、制御部５２が、ログインＩＤに関連づけられた全てのアダプタ２０ａ，２０ｂに接続されている空気調和機１０ａ，１０ｂの情報を、通信部５１を介して外部サーバ４０に要求する。かかる情報送信要求を受けて、外部サーバ４０は、アダプタ別データベース４３ａからログインＩＤに関連づけられているアダプタ２０ａ，２０ｂが接続された空気調和機１０ａ，１０ｂに関する空調関連情報を、スマートフォン５０に送信する。この空気調和機１０ａ，１０ｂに関する空調関連情報には、機器情報及び環境情報などが含まれている。
【００８４】
この空気調和機１０ａ，１０ｂに関する空調関連情報は、制御部５２が空調管理アプリケーションＡＰ１を実行することによって受信され、スマートフォン５０の記憶部５３の機器情報記憶領域５Ｍ２及び環境情報記憶領域５Ｍ３に一時的に記憶される。そしての空気調和機１０ａ，１０ｂに関する空調関連情報に基づいて、空調管理アプリケーションＡＰ１の実行によって制御部５２が、入出力部５４の表示画面ＤＳ１に表示させる監視・操作用の空気調和機管理画面を生成する。
【００８５】
具体的には、スマートフォン５０の空調管理アプリケーションＡＰ１が起動されると、まず、監視や操作が可能な空気調和機１０ａ，１０ｂの一覧画像が表示される。そして、ユーザーが、表示画面ＤＳ１上の一覧画像に含まれる空気調和機１０ａ，１０ｂのアイコンを１つタップすると、タッチスクリーンの機能によって、例えば図７に示すような「リビングエアコン」（例えば空気調和機１０ａ）の監視・操作用の空気調和機管理画面が表示される。制御部５２は、空調管理アプリケーションＡＰ１の実行によって、記憶部５３に一時記憶されている空気調和機１０ａ，１０ｂに関する空調関連情報を参照する。例えば、制御部５２は、環境情報記憶領域５Ｍ３に記憶されている２９℃という室内温度、３３℃という室外温度及び５０％という室内湿度が記載された空気調和機管理画面を生成する。また、制御部５２は、機能設定情報記憶領域５Ａ２に記憶されている運転／停止状態、冷房という運転モード及び２７℃という設定温度などが記載された空気調和機管理画面を生成する。また、制御部５２は、その「リビングエアコン」の機器設定情報に応じて、空気調和機画面の構成を変える。例えば図４の機器設定情報が「リビングエアコン」に消費電力の計測機能が備わっていることを示す場合には、図７に示す空気調和機管理画面のように、消費電力の表示画面に遷移するための「消費電力」の監視画面ＤＳ１１が表示される。
【００８６】
また、空調管理アプリケーションＡＰ１の実行により、制御部５２は、空気調和機管理画面が表示されている入出力部５４を介して、ユーザーから空気調和機１０ａ，１０ｂの操作入力を受け付ける。ユーザーが図７に示す空気調和機管理画面が表示された表示画面ＤＳ１において「停止」ボタンＤＳ１２を押すと、「リビングエアコン」を運転状態から停止状態にする「運転停止」の操作コマンドが入出力部５４から制御部５２に送られる。制御部５２では、機器設定情報記憶領域５Ａ１の情報に基づいて例えば「リビングエアコン」が空気調和機１０ａであることを特定し、この「運転停止」の操作の指示に従って記憶部５３の機能設定情報記憶領域５Ａ２に記憶されている空気調和機１０ａの機能設定情報を「運転状態」から「停止状態」に書き換える。空気調和機１０ａを停止状態にする情報は、スマートフォン５０の通信部５１から外部サーバ４０の通信部４１に送られる。外部サーバ４０の通信部５１で受信された空気調和機１０ａを停止状態にする情報は、制御部４２によって、記憶部４３の機能設定情報記憶領域４Ａ２に一時的に記憶される。
【００８７】
外部サーバ４０は、例えば定期発報データをアダプタ２０ａ，２０ｂが外部サーバ４０に送信してくる際に、「運転停止」の操作コマンドをアダプタ２０ａ，２０ｂに送る。定期発報データを送信するときには、例えばアダプタ２０ａの通信部２１ａと外部サーバ４０の通信部４１がインターネットにより公衆回線６０を介して接続される。この接続を制御部４２が認識すると、記憶部４３の機能設定情報記憶領域４Ａ２に記憶されている空気調和機１０ａを停止状態にする情報を通信部４１及び通信部２１ａによって送信する。空気調和機１０ａを停止状態にする情報を外部サーバ４０から受信したアダプタ２０ａの制御部２２ａは、記憶部２３ａの機能設定情報記憶領域２Ａ２ａの機能設定情報に記憶されている空気調和機１０の運転状態という機能設定情報を停止状態に書き換える。このとき同時に、アダプタ２０ａの制御部２２ａは、室内機１１ａの室内制御装置１３ａの制御部１３２ａに運転状態から停止状態にする指令を送信する。停止状態にする指令を受信した制御部１３２ａは、空気調和機１０ａの運転を停止するとともに、記憶部１３３ａの機能設定情報記憶領域３Ａ２ａの運転状態という機能設定情報を停止状態に書き換える。
【００８８】
逆に、「リビングエアコン」が停止状態にあるときに、スマートフォン５０の表示画面ＤＳ１において「運転」ボタンＤＳ１３をタップすると、「リビングエアコン」を運転状態に変える操作コマンドが制御部５２に送られる。停止状態から運転状態にするときも、上述のように、運転状態の機能設定情報が外部サーバ４０からアダプタ２０ａを介して空気調和機１０ａの室内機１１ａに送信され、空気調和機１０ａが停止状態から運転状態にされる。
【００８９】
さらに、他の「運転モード」ボタンＤＳ１４、「設定温度」ボタンＤＳ１５、「設定しつど」ボタンＤＳ１６をタップして、ユーザーが操作入力を行うと、空調管理アプリケーションＡＰ１の実行によって、機能設定情報がスマートフォン５０から外部サーバ４０を経由してアダプタ２０ａ，２０ｂに送られる。
【００９０】
（５）空調管理プログラムを用いた建物内からの空気調和機の監視、操作
建物１００の内部において、スマートフォン５０の空調管理アプリケーションＡＰ１が起動され、ユーザーによってログインＩＤおよびパスワードが入力されると、無線ＬＡＮ３５を介してスマートフォン５０とアダプタ２０ａ，２０ｂが接続される。そのため、空調管理アプリケーションＡＰ１の実行によって、スマートフォン５０とアダプタ２０ａ、２０ｂが接続されて、スマートフォン５０の通信部５１が、直接アダプタ２０ａ，２０ｂの通信部２１ａとの間で通信を確立する。このとき、スマートフォン５０とアダプタ２０ａ，２０ｂの情報の遣り取りは、外部サーバ４０を経由せずに行なわれる。しかし、スマートフォン５０を使って指示することによって書き換えられた機器情報は、定期発報データとして定期的に外部サーバ４０に送られる。そのため、タイムラグはあるが、外部サーバ４０の記憶部４３に記憶されている機器情報も定期的に更新される。
【００９１】
スマートフォン５０とアダプタ２０ａ，２０ｂが接続されると、空調管理アプリケーションＡＰ１の実行によって制御部５２が、アダプタ２０ａ，２０ｂに接続されている空気調和機１０ａ，１０ｂの情報を、通信部５１を介してアダプタ２０ａ，２０ｂに要求する。かかる情報送信要求を受けて、アダプタ２０ａ，２０ｂは、記憶部２３ａに記憶されている空気調和機１０ａ，１０ｂに関する空調関連情報を、スマートフォン５０に送信する。その後の、監視・操作用の空気調和機管理画面の生成までは、建物１００の外部におけるスマートフォン５０の空調管理アプリケーションＡＰ１の動作と同じである。また、ユーザーからの空気調和機１０ａ，１０ｂの操作入力の受け付けまでは、建物１００の外部におけるスマートフォン５０の空調管理アプリケーションＡＰ１の動作と同様である。
【００９２】
（６）特徴
（６−１）
以上説明したように、リモートコントローラ１５ａ，１５ｂは、空気調和機１０ａ，１０ｂの操作を行うために、室内機１１ａ，１１ｂ（本体の例）に運転指令などの操作情報を送信することができるように構成されている。また、空気調和機１０ａ，１０ｂには、アダプタ２０ａ，２０ｂ（ＬＡＮ接続部の例）の接続設定の機能が室内機１１ａ，１１ｂに組み込まれており、アダプタ２０ａ，２０ｂもこのような室内機１１，１１ｂの機能に対応できるように構成されている。そして、ユーザーは、リモートコントローラ１５ａ，１５ｂを使って、室内機１１ａ，１１ｂの接続設定の機能を実行させることで、アダプタ２０ａ，２０ｂのＳＥＴＵＰボタン２７及び／又はＭＯＤＥボタン２８に物理的にアクセスしなくてもＬＡＮに関する設定を行える。天井埋め込み型の室内機１１ａ及び壁埋め込み型の室内機１１ｂのように、天井裏にアダプタ２０ａが設置される場合及び壁の中にアダプタが埋め込まれる場合であっても、リモートコントローラ１５ａ，１５ｂを使って室内ＲＭに居ながらにしてＬＡＮの設定を行うことができる。このように空気調和システム１では、アダプタ２０ａ，２０ｂの設置場所によらずにアダプタ２０ａ，２０ｂのＬＡＮの設定を容易に行うことができる。
【００９３】
（６−２）
空気調和機１０ａ，１０ｂは、リモートコントローラ１５ａ，１５ｂを用いたＬＡＮに関する設定についての設定情報を通知するために、表示を行なう表示画面ＤＳ２及びＬＥＤ１１ａＬ，１１ｂＬ（表示部の例）を有している。このような構成により、表示画面ＤＳ２及びＬＥＤ１１ａＬ，１１ｂＬに表示されるＬＡＮの設定の内容を確認しながらアダプタ２０ａ，２０ｂに対してＬＡＮに関する設定ができ、アダプタ２０ａ，２０ｂに対するＬＡＮに関する設定の誤操作を減らすことができる。
【００９４】
空気調和機１０ａ，１０ｂは、室内機１１ａ，１１ｂがＬＥＤ１１ａＬ，１１ｂＬを有し、ＬＥＤ１１ａＬ，１１ｂＬを使って設定情報を表示する。ここで、リモートコントローラ１５ａのように表示画面ＤＳ２がないリモートコントローラが空気調和機に付属していてリモートコントローラを使っては設定情報を操作者に通知できないケースを考えてみる。このようなケースでも、空気調和機１０ａは、ＬＥＤ１１ａＬの使用によって、ユーザーなどにＬＡＮの設定情報を伝えられる。つまり、ＬＥＤを使ってアダプタの設定の内容の確認ができると、リモートコントローラの種類によらずに空気調和機においてアダプタの設定内容の確認が可能になり、アダプタの設定内容の確認が可能な空気調和機の機種を増やすことができる。
【００９５】
しかし、リモートコントローラ１５ａの表示画面ＤＳ２のように、設定情報が表示されると、リモートコントローラ１５ａを持つ手元で設定の内容を確認しながらＬＡＮに関する設定が行なえる。このように、アダプタ２０ａに対する内容の確認が手元で行なえれば、例えばリモートコントローラ１５ａだけを見ながらアダプタ２０ａの接続設定ができて便利である。
【００９６】
（６−３）
図３に示されているように、アダプタ２０ａは、リモートコントローラ１５ａを用いずにＬＡＮに関する設定を行なうためのＳＥＴＵＰボタン２７（設定ボタンの例）を有している。このような構成を有していることから、空気調和機１０ａのリモートコントローラ１５ａが使用できない状況であっても、リモートコントローラ１５ａを用いずにＬＡＮに関する設定がアダプタ２０ａのＳＥＴＵＰボタン２７により行なえる。アダプタ２０ａがＳＥＴＵＰボタン２７を有していることで、リモートコントローラが付属しない空気調和機ではアダプタに対してＬＡＮの設定ができなくなるという不都合を解消することができる。
【００９７】
（６−４）
図３に示されているように、アダプタ２０ａは、室内機１１ａの内部言い換えれば空気調和機１０ａの内部に取り付けられている。アダプタ２０ａが室内機１１ａに内蔵されていると、アダプタ２０ａを室内機１１ａに取り付ける手間が省ける。その一方、アダプタ２０ａのＬＡＮに関する設定がリモートコントローラ１５ａにより行なえるので、設定のために天井裏でアダプタ２０ａのＳＥＴＵＰボタン２７を押すなどのアダプタ２０ａに対する作業が省ける。このように室内機１１ａを天井に埋め込む作業によってアダプタ２０ａも天井に設置され、天井裏に設置されたアダプタ２０ａの接続設定をリモートコントローラ１５ａで行なうことで、空気調和機１０ａ及びアダプタ２０ａの施工とＬＡＮに関する設定とに係る工数を削減することができる。
【００９８】
（７）変形例
（７−１）変形例Ａ
上記実施形態では、空気調和機１０ａ，１０ｂの表示画面ＤＳ２及びＬＤＥ１１ａＬ，１１ｂＬによってアダプタ２０ａ，２０ｂの接続設定時の設定情報を通知する場合について説明した。しかし、設定情報を通知する方法は、表示部による表示だけに限られず、例えば、音声を発する音声部による通知方法を用いることもできる。
【００９９】
（７−２）変形例Ｂ
上記実施形態では、携帯端末としてスマートフォン５０を例に挙げて説明したが、例えば携帯電話機、タブレット型コンピュータやノート型コンピュータなどの携帯可能なコンピュータ等を携帯端末として用いることができる。
【０１００】
（７−３）変形例Ｃ
上記実施形態の図１においては、建物１００が１つだけ示されているが、一つの空気調和システム１に、複数の建物１００に設置される複数組の空気調和機１０ａ，１０ｂ、アダプタ２０ａ，２０ｂ及び無線ＬＡＮ３５が含まれてもよい。すなわち、インターネット上の外部サーバ４０は、例えば空気調和機の製造会社や販売会社、あるいはメンテナンス会社によって運営される場合に、多数の建物１００内の空気調和機の情報が外部サーバ４０内に蓄積されるように構成することもできる。
【０１０１】
また、上記実施形態では、無線ＬＡＮ３５に接続されている空気調和機１０ａ，１０ｂが２台の場合について説明したが、無線ＬＡＮ３５に接続される空気調和機は１台であってもよく、あるいは３台以上であってもよい。
【０１０２】
また、本発明の適用できるＬＡＮは無線ＬＡＮ３５に限られるものではなく、本願発明は有線のＬＡＮの場合にも適用できる。
【０１０３】
（７−４）変形例Ｄ
上記実施形態では、１台の室内機１１ａ，１１ｂにそれぞれ１台の室外機１２ａ，１２ｂが接続される場合について説明したが、１台の室外機に複数台の室内機が接続されるマルチ型空気調和機にも本願発明を適用できる。
【０１０４】
また、上記実施形態では、１台の室内機１１ａ，１１ｂにそれぞれ１台のリモートコントローラ１５ａ，１５ｂが付属する場合について説明したが、１台の室内機に複数台のリモートコントローラを付属させる場合にも本発明を適用でき、また複数台の室内機に１台のリモートコントローラを付属させる場合にも本発明を適用できる。
【０１０５】
（７−５）変形例Ｅ
上記実施形態では、アダプタ２０ａ，２０ｂの機能と室内機１１ａ，１１ｂの室内制御装置１３ａ，１３ｂの機能とが別体に設置されている場合について説明したが、空気調和機がアダプタの機能を備えるように構成することもできる。例えば、図８に示されている室内制御装置１３ｃは、アダプタ２０ａが備えていた通信部２１ａ及び記憶部２３ａなどを全て備えており、アダプタ２０ａの制御部２２ａの機能と室内制御装置１３ａの制御部１３２ａの機能を合わせ持つ制御部１３２ｃを備えている。このように構成されている図８の空気調和機１０ｃは、室内機１１ｃの室内制御装置１３ｃにアダプタ２０ａの機能が組み込まれて、ＬＡＮ機能を有する空気調和機となっている。この場合、室内制御装置１３ｃがＬＡＮ接続部になる。
【符号の説明】
【０１０６】
１    空気調和システム
１０ａ，１０ｂ，１０ｃ    空気調和機
１１ａ，１１ｂ，１１ｃ    室内機（本体）
１１ａＬ，１１ｂＬ    ＬＥＤ（表示部）
１３ａ，１３ｂ，１３ｃ  室内制御装置
１５ａ，１５ｂ    リモートコントローラ
２０ａ，２０ｂ    アダプタ
２７    ＳＥＴＵＰボタン（設定ボタン）
３０    ルータ
３１    ローカルエリアネットワーク（ＬＡＮ）
４０    外部サーバ
５０    スマートフォン
６０    公衆回線
ＤＳ１    表示画面
ＤＳ２    表示画面（表示部）
【先行技術文献】
【特許文献】
【０１０７】
【特許文献１】特開２００２−２８１１６９号公報
【図１】
2015121392.tif 000003
【図２】
2015121392.tif 000004
【図３】
2015121392.tif 000005
【図４】
2015121392.tif 000006
【図５】
2015121392.tif 000007
【図６】
2015121392.tif 000008
【図７】
2015121392.tif 000009
【図８】
2015121392.tif 000010
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
本体（１１ａ，１１ｂ）と前記本体に操作情報を送信するリモートコントローラ（１５ａ，１５ｂ）とを有し、前記リモートコントローラで操作可能な空気調和機（１０ａ，１０ｂ）と、
前記空気調和機をＬＡＮ（３１）につなげて前記ＬＡＮを通じて前記空気調和機から得られる情報を送信するために前記空気調和機に設置されているＬＡＮ接続部（２０ａ，２０ｂ，１３ｃ）と
を備え、
前記空気調和機は、前記ＬＡＮ接続部に対して前記リモートコントローラを用いて前記ＬＡＮに関する設定を行えるように構成されている、空気調和システム。
【請求項２】
前記空気調和機は、前記リモートコントローラを用いた前記ＬＡＮに関する設定についての設定情報を通知するために、表示を行なう表示部（ＤＳ２，１１ａＬ，１１ｂＬ）及び音声を発生する音声部のうちの少なくとも一方を有する、
請求項１に記載の空気調和システム。
【請求項３】
前記空気調和機は、前記本体が前記表示部としてＬＥＤ（１１ａＬ，１１ｂＬ）を有し、前記ＬＥＤを使って前記設定情報を表示する、
請求項２に記載の空気調和システム。
【請求項４】
前記空気調和機は、前記リモートコントローラが前記表示部として表示画面（ＤＳ２）を有し、前記空気調和機の前記本体が前記ＬＡＮ接続部から得る前記ＬＡＮに関する設定の情報を受信可能に構成され、前記リモートコントローラの前記表示画面に前記設定情報を表示する、
請求項２又は請求項３に記載の空気調和システム。
【請求項５】
前記ＬＡＮ接続部は、前記リモートコントローラを用いずに前記ＬＡＮに関する設定を行なうための設定ボタン（２７）を有する、
請求項１から４のいずれか一項に記載の空気調和システム。
【請求項６】
前記ＬＡＮ接続部は、アダプタ（２０ａ，２０ｂ）であり、
前記アダプタは、前記空気調和機の内部に取り付けられている、
請求項１から５のいずれか一項に記載の空気調和システム。
【手続補正２】
【補正対象書類名】明細書
【補正対象項目名】全文
【補正方法】変更
【補正の内容】
【発明の詳細な説明】
【技術分野】
【０００１】
本発明は、公衆回線を介して携帯端末に空調関連情報を提供可能な空気調和システムに関する。
【背景技術】
【０００２】
近年、外出中に携帯電話機から家庭の電気機器を簡単に操作する遠隔操作ができるように、携帯電話機と電気機器とを通信回線を使って接続する技術が普及してきている。例えば、特許文献１（特開２００２−２８１１６９号公報）には、遠隔操作アダプタを電気機器に取り付けて、遠隔操作アダプタを介して電気機器をインターネットに接続するシステムが開示されている。
【発明の概要】
【発明が解決しようとする課題】
【０００３】
上述の特許文献１に開示されているシステムでは、ユーザーが、携帯電話機を通じてＩＤおよびパスワードを入力する認証の作業を行なう。そして、正規のユーザーであるという認証が行われれば、ユーザーは、サービス提供事業者が提供する種々のサービスを携帯電話機に表示される各種の操作ボタンを使って受けることができる。
【０００４】
ところで、一般的なアダプタの場合、特に無線ＬＡＮによってネットワークに接続するアダプタの場合には、認証の作業などが行なえるようにするためにそのような作業の前に、アダプタを空気調和機に取り付ける際に無線ＬＡＮに関する設定が必要になることがある。
【０００５】
空気調和機の場合には、テレビ受像機や冷蔵庫や電気ポットなどの家庭用電気製品と異なって高所に取り付けられていることが多く、アダプタも空気調和機の近傍の高所に取り付けなければならない状況がしばしば発生する。このようにアダプタを高所に取り付けなければならない状況では、ユーザーや施工業者が高所で無線ＬＡＮに関する設定を行なわなければならなくなり、空気調和機を無線ＬＡＮにつなぐための作業が困難になる。
【０００６】
本発明の課題は、アダプタの設置場所によらずにＬＡＮの設定を容易に行うことができる空気調和システムを提供することにある。
【課題を解決するための手段】
【０００７】
本発明の第１観点に係る空気調和システムは、本体と本体に操作情報を送信するリモートコントローラとを有し、リモートコントローラで操作可能な空気調和機と、空気調和機をＬＡＮにつなげてＬＡＮを通じて空気調和機から得られる情報を送信するために空気調和機に設置されているＬＡＮ接続部とを備え、空気調和機は、ＬＡＮ接続部に対してリモートコントローラを用いてＬＡＮに関する設定を行えるように構成されている。
【０００８】
第１観点の空気調和システムにおいては、空気調和機を操作するリモートコントローラを用いてＬＡＮ接続部に対するＬＡＮに関する設定ができるので、ユーザーなどが作業困難な場所にＬＡＮ接続部を設置しなければならない場合でも、ＬＡＮ接続部の設置場所に関係なく、リモートコントローラを使ってＬＡＮの設定を行うことができる。
【０００９】
本発明の第２観点に係る空気調和システムは、第１観点に係る空気調和システムにおいて、空気調和機は、リモートコントローラを用いたＬＡＮに関する設定についての設定情報を通知するために、表示を行なう表示部及び音声を発生する音声部のうちの少なくとも一方を有する、ものである。
【００１０】
第２観点の空気調和システムにおいては、ＬＡＮの設定情報が表示部により表示されたり、音声部により音声で通知されたりするので、空気調和機の表示部及び／又は音声部を使って、設定の内容を確認しながらＬＡＮ接続部に対してＬＡＮに関する設定ができる。
【００１１】
本発明の第３観点に係る空気調和システムは、第２観点に係る空気調和システムにおいて、空気調和機は、本体が表示部としてＬＥＤを有し、ＬＥＤを使って設定情報を表示する、ものである。
【００１２】
第３観点の空気調和システムにおいては、例えばリモートコントローラに表示画面がなかったり非双方向式であったりしてリモートコントローラを使って設定情報を操作者に通知できない場合でも、本体のＬＥＤを使ってＬＡＮの設定情報が表示されると、操作者はＬＥＤを使ってＬＡＮ接続部に対する設定の内容を確認することができる。
【００１３】
本発明の第４観点に係る空気調和システムは、第２観点又は第３観点に係る空気調和システムにおいて、空気調和機は、リモートコントローラが表示部として表示画面を有し、空気調和機の本体がＬＡＮ接続部から得るＬＡＮに関する設定の情報を受信可能に構成され、リモートコントローラの表示画面に設定情報を表示する、ものである。
【００１４】
第４観点の空気調和システムにおいては、リモートコントローラの表示画面に設定情報が表示されるので、リモートコントローラを持つ手元で設定の内容を確認しながらＬＡＮに関する設定が行なえるようになる。
【００１５】
本発明の第５観点に係る空気調和システムは、第１観点から第４観点のいずれかに係る空気調和システムにおいて、ＬＡＮ接続部は、リモートコントローラを用いずにＬＡＮに関する設定を行なうための設定ボタンを有する、ものである。
【００１６】
第５観点の空気調和システムにおいては、空気調和機のリモートコントローラが使用できない状況であっても、リモートコントローラを用いずにＬＡＮに関する設定がＬＡＮ接続部の設定ボタンにより行なえる。
【００１７】
本発明の第６観点に係る空気調和システムは、第１観点から第５観点のいずれかに係る空気調和システムにおいて、ＬＡＮ接続部は、アダプタであり、アダプタは、空気調和機の内部に取り付けられている、ものである。
【００１８】
第６観点の空気調和システムにおいては、アダプタが空気調和機の内部に取り付けられているので、アダプタを空気調和機に取り付ける手間が省ける一方、アダプタのＬＡＮに関する設定がリモートコントローラにより行なえるので、設定のために空気調和機の内部のアダプタに対して行なわなければならない作業を省ける。
【発明の効果】
【００１９】
本発明の第１観点に係る空気調和システムによれば、リモートコントローラを用いてＬＡＮ接続部に対してＬＡＮに関する設定ができ、ＬＡＮ接続部の設置場所によらずにＬＡＮ接続部のＬＡＮの設定を容易に行うことができる空気調和システムを提供することができる。
【００２０】
第２観点に係る空気調和システムによれば、ＬＡＮ接続部に対するＬＡＮの設定をリモートコントローラで間接的に行なっても、空気調和機の表示部及び／又は音声部で設定の内容が確認できるので、ＬＡＮ接続部に対するＬＡＮに関する設定の誤操作を減らすことができる。
【００２１】
第３観点に係る空気調和システムによれば、本体のＬＥＤを使ってＬＡＮ接続部の設定の内容の確認ができ、空気調和機においてＬＡＮ接続部の設定内容の確認が可能な空気調和機の機種を増やすことができる。
【００２２】
第４観点に係る空気調和システムによれば、ＬＡＮ接続部の設置場所が何処であってもＬＡＮ接続部に対する内容の確認が手元で行なえ、利便性が向上する。
【００２３】
第５観点に係る空気調和システムによれば、ＬＡＮ接続部が設定ボタンを有していることで、リモートコントローラが付属しない空気調和機ではＬＡＮ接続部に対してＬＡＮの設定ができなくなるという不都合を解消することができる。
【００２４】
第６観点に係る空気調和システムによれば、空気調和機及びアダプタの施工とＬＡＮに関する設定とに係る工数を削減することができる。
【図面の簡単な説明】
【００２５】
【図１】本発明の一実施形態に係る空気調和システムの概略構成を示す概念図。
【図２】空気調和機の構成を説明するための回路図。
【図３】室内機の構成の一例を示す断面図。
【図４】ＬＡＮに接続されたアダプタと空気調和機を説明するためのブロック図。
【図５】公衆回線に接続された外部サーバとスマートフォンを説明するためのブロック図。
【図６】（ａ）リモートコントローラの通常の表示画面を説明するための平面図、（ｂ）アダプタの接続設定時のリモートコントローラの表示画面を説明するための平面図。
【図７】空気調和機管理画面の一例を説明するための平面図。
【図８】ＬＡＮ機能を有する空気調和機を説明するためのブロック図。
【発明を実施するための形態】
【００２６】
（１）空気調和システムの構成の概要
以下、本発明の一実施形態に係る空気調和システムについて説明する。図１には、空気調和システムの全体構成の概要が示されている。空気調和システム１は、空気調和機１０ａ，１０ｂとアダプタ２０ａ，２０ｂとルータ３０とローカルエリアネットワーク３５（以下、無線ＬＡＮという）と外部サーバ４０とスマートフォン５０とを備えている。この無線ＬＡＮ３５は、無線を使ってネットワークを構築する。ここで説明する空気調和システム１は、空気調和機１０ａが天井埋め込み型であり、空気調和機１０ｂが壁埋め込み型である。
【００２７】
この空気調和システム１では、外部サーバ４０及びアダプタ２０ａ，２０ｂを使って、ユーザーが保有するスマートフォン５０から空気調和機１０ａ，１０ｂの情報を取得したり、空気調和機１０ａ，１０ｂを操作したりすることができるように構成されている。そのために、スマートフォン５０と外部サーバ４０とがインターネットに接続可能に構成されており、またルータ３０によってインターネットを介してサーバと４０とアダプタ２０ａ，２０ｂとを接続することができる構成となっている。
【００２８】
インターネットを含む公衆回線６０と、建物１００内に敷設されている無線ＬＡＮ３５とを接続するルータ３０が、建物１００に設置されている。無線ＬＡＮ３５は、ルータ３０の機能を利用した無線ＬＡＮであり、空気調和機１０ａ，１０ｂに有線で接続されたアダプタ２０ａ，２０ｂがルータ３０に無線接続されることによって構成されている。なお、アダプタ２０ａ，２０ｂの他に、建物１００内で使用される図示しないパーソナルコンピュータ、プリンタ等のネットワーク機器が無線ＬＡＮ３５にさらに接続されていてもよい。また、スマートフォン５０による外部サーバ４０を介した空気調和機１０ａ，１０ｂの管理をするためには、事前に各空気調和機１０ａ，１０ｂを外部サーバ４０に登録しておく必要があるが、そのための初期設定については後ほど説明する。
【００２９】
（２）空気調和システムの詳細構成
（２−１）空気調和機の構成
図１に示されているように、空気調和機１０ａ，１０ｂは、建物１００の各部屋１１０，１２０の中に設置される室内機１１ａ，１１ｂと、建物１００の外に設置される室外機１２ａ，１２ｂとから構成されている。なお、室内機１１ａ，１１ｂは、アダプタ２０ａ，２０ｂと１対１で接続されている。従って、空気調和機１０ａ，１０ｂの室内機１１ａ，１１ｂの室内制御装置１３ａ，１３ｂが設置される部屋１１０に、それぞれリモートコントローラ１５ａ及びアダプタ２０ａが設置され、空気調和機１０ａ，１０ｂが設置される建物１００にルータ３０が設置される。そして、空気調和機１０ａ，１０ｂは、このルータ３０を介して建物１００の外にある公衆回線６０に接続される。
【００３０】
室内機１１ａ，１１ｂと室外機１２ａ，１２ｂとは、冷媒配管によって接続されている。ここでは、室内機１１ａと室外機１２ａを有する空気調和機１０ａについて具体的な構成の一例について図２を用いて説明する。なお、空気調和機１０ｂと空気調和機１０ａはタイプが異なるが、空気調和機１０ｂも空気調和機１０ａと同じように蒸気圧縮式の冷媒回路によって構成できる。なお、図２において、各装置を繋ぐ実線は冷媒配管を表しており、各装置を繋ぐ破線は信号伝送線路を表している。
【００３１】
室外機１２ａは、室内に設置される室内機１１ａに冷媒配管によって接続されて、室内機１１ａとともに空気調和機１０ａの冷媒回路を構成する。そのために、冷媒連絡配管２１２ａ，２１２ｂ及び信号伝送線路２１２ｃなどが通る連絡配管２１２によって室内機１１ａと室外機１２ａが連絡されている。図１に示されている冷媒回路を構成するために、室内機１１ａには、室内熱交換器２２１などが設けられ、室外機１２ａには、圧縮機２３１、四路切換弁２３２、室外熱交換器２３３、電動弁２３４及びアキュムレータ２３５などが設けられている。
【００３２】
圧縮機２３１の吐出側には四路切換弁２３２の第１ポートが接続されている。四路切換弁２３２の第２ポートには室外熱交換器２３３の一方の出入口が接続され、第３ポートにはアキュムレータ２３５が接続され、第４ポートには冷媒連絡配管２１２ｂが接続されている。四路切換弁２３２は、冷房時には実線で示されている経路に切り換えられ、暖房時に四路切換弁２３２は、破線で示されている経路に切り換えられる。
【００３３】
冷房時には、圧縮機２３１で圧縮されて吐出された冷媒が四路切換弁２３２を介して室外熱交換器２３３に送られる。冷房時には室外熱交換器２３３は凝縮器として働き、冷媒の凝縮により外気との熱交換が行われて熱を奪われた冷媒は、次に電動弁２３４に送られる。電動弁２３４は膨張弁として働き、高圧液状の冷媒が低圧の湿り蒸気の状態に変化する。このように電動弁２３４で膨張した冷媒は、冷媒連絡配管２１２ａを通って室内熱交換器２２１に入る。冷房時には室内熱交換器２２１は蒸発器として働き、冷媒の蒸発により室内空気と冷媒との間で熱交換が行われ、熱を奪って温度が上昇した冷媒は、冷媒連絡配管２１２ｂと四路切換弁２３２を通って、圧縮機２３１の吸入側に接続されているアキュムレータ２３５に送られる。
【００３４】
暖房時には、圧縮機２３１で圧縮されて吐出された冷媒が四路切換弁２３２から冷媒連絡配管２１２ｂを経由して凝縮器として働く室内熱交換器２２１に送られる。そして、冷房時とは逆の経路をたどって、蒸発器として働く室外熱交換器２３３を出た冷媒は圧縮機２３１に送られる。つまり、圧縮機２３１から、四路切換弁２３２、冷媒連絡配管２１２ｂ、室内熱交換器２２１、冷媒連絡配管２１２ａ、電動弁２３４、室外熱交換器２３３、四路切換弁２３２、アキュムレータ２３５を順に経て圧縮機２３１に戻る経路を冷媒が循環する。
【００３５】
室内機１１ａ及び室外機１２ａには、それぞれ、室内熱交換器２２１及び室外熱交換器２３３における熱交換を促すために、室内熱交換器２２１に室内空気を送る室内ファン２２２及び、室外熱交換器２３３に外気を送る室外ファン２３７が設けられている。
【００３６】
さらに、空気調和機１０ａにおける空気調和の動作を正しく効率よく行わせるために、空気調和機１０ａは、図２に示されている室内制御装置１３ａ及び室外制御装置１４ａを含み、室内制御装置１３ａが室内機１１ａの中に組み込まれ、室外制御装置１４ａが室外機１２ａの中に組み込まれている。また、室内機１１ａは、アダプタ２０ａを内蔵している。
【００３７】
（２−１−１）室内機
図３は、天井に取り付けられている室内機の断面図である。室内機１１ａは、天井埋込型であり、内部に各種構成機器を収納するケーシング２２０と、ケーシング２２０の下側に配置された化粧パネル２２３とを備えている。室内機１１ａのケーシング２２０は、図３に示されているように、空調室の天井ＣＥに形成された開口に挿入されて設置されている。そして、化粧パネル２２３は、天井ＣＥの開口に嵌め込まれて設置されている。
【００３８】
ケーシング２２０内には、室内ファン２２２が配置されている。室内ファン２２２は、ターボファンであり、ケーシング２２０の天板の中央部に設けられたファンモータ２２２ｍに連結されて回転駆動されるターボ羽根車２２２ｗを有している。室内ファン２２２は、ターボ羽根車２２２ｗの回転によって、ターボ羽根車２２２ｗの下側から室内ＲＭの空気を吸入し、ターボ羽根車２２２ｗの外周側に吸入した空気を吹き出すようになっている。室内ファン２２２の下側には、室内ファン２２２へ空気を案内するためのベルマウス２２２ｂが配置されている。
【００３９】
ケーシング２２０の下側に配置された化粧パネル２２３は、その中央部に形成された吸込口２２０ｉと、側縁部に形成された複数個（例えば、４個）の吹出口２２０ｔとを有している。また、化粧パネル２２３の吸込口２２０ｉには、吸込口２２０ｉから吸込まれた空気中の塵埃を除去するためのフィルタ２２８が設けられている。
【００４０】
以上のように、室内機１１ａには、化粧パネル２２３の吸込口２２０ｉからフィルタ２２８、ベルマウス２２２ｂ、室内ファン２２２及び室内熱交換器２２１を経由して、吹出口２２０ｔへ至る空気流路ｒ１が形成されている。このような空気流路ｒ１を通って室内ＲＭとケーシング２２０内との間を循環する室内空気の熱交換が室内熱交換器２２１によって行なわれる。そして、空気流路ｒ１を通って天井ＣＥから室内ＲＭに向かって下方に吹出される空気流の風向は、フラップ２２０ｃによって調節される。室内機１１ａのケーシング２２０内に設置されている室内温度センサ２２６は、例えば室内機１１ａの室内空気の吸込口２２０ｉに設けられており、空気流路ｒ１を通って循環する室内空気の温度を計測する。
【００４１】
また、室内機１１ａの化粧パネル２２３から下方に向かって露出して、複数のＬＥＤ（Light Emitting Diode）１１ａＬが取り付けられている。これらＬＥＤ１１ａＬの点灯は、室内制御装置１３ａによって制御される。この室内機１１ａが有するＬＥＤ１１ａＬは、図１に示されている、運転表示用ランプＬ１とタイマ表示用ランプＬ２とを含んでいる。運転表示用ランプＬ１は、室内機１１ａの運転状態に関する表示を行なうためのものである。また、タイマ表示用ランプＬ２は、室内制御装置１３ａが内蔵しているタイマ（図示せず）の設定状態及びタイマの作動状態などを確認する際に用いられる。同様のＬＥＤ１１ｂＬが室内機１１ｂに設けられている（図１参照）。
【００４２】
また、室内機１１ａには、例えばケーシング２２０の内面にアダプタ２０ａが取り付けられて内蔵されている。アダプタ２０ａのＳＥＴＵＰボタン２７及びＭＯＤＥボタン２８は、天井ＣＥに入ったユーザー及び取り付け作業者が手で操作できるように、例えばケーシング２２０の外に突出している。
【００４３】
（２−１−２）空気調和機の制御系統
図１に示されているように、室内制御装置１３ａ，１３ｂは、空気調和機１０ａ，１０ｂに関する機能情報をアダプタ２０ａ，２０ｂに送信する。例えば、室内制御装置１３ａ，１３ｂは、リモートコントローラ１５ａ，１５ｂを介して入力された室内機１１ａ，１１ｂに対する運転指令の内容を示す情報を、機能情報としてアダプタ２０ａ，２０ｂに送信する。このような運転指令を送信したり、種々の情報を受信して処理したりするために、リモートコントローラ１５ａは、室内制御装置１３ａと送受信を行なうための通信部１５１と、ＣＰＵ（中央演算処理装置）などを含む制御部１５２と、メモリなどを含む記憶部１５３と、表示画面ＤＳ２及び操作ボタンなどを含む入出力部１５４とを備えている。このような構成については、リモートコントローラ１５ｂも同様である。運転指令の内容を示す情報とは、空気調和機１０ａ，１０ｂの運転開始／運転停止、運転モード（冷房モード、暖房モード、送風モードなど）、設定温度及び室外温度表示のオンオフの設定内容などである。また、室内制御装置１３ａ，１３ｂは、アダプタ２０ａ，２０ｂの初期設定時においては、アダプタ２０ａのＳＥＴＵＰボタン２７及びＭＯＤＥボタン２８の操作によってアダプタ２０ａに与えられる情報と同じ情報をアダプタ２０ａに与えられるように構成されている。
【００４４】
また、室内制御装置１３ａは、アダプタ２０ａ，２０ｂ及びリモートコントローラ１５ａから送信されてくる制御指令を実行する。アダプタ２０ａ，２０ｂ及びリモートコントローラ１５ａから送信されてくる制御指令とは、例えば、室内機１１ａ，１１ｂに対する運転指令であったり、特定の機能情報をアダプタ２０ａ，２０ｂに送信するよう命じるものであったりする。このような機器情報の一種である機能情報は、空気調和機１０ａであれば、図４に示されている制御部１３２ａによって記憶部１３３ａの機器情報記憶領域３Ｍ２ａの機能設定情報記憶領域３Ａ２ａに記憶される。また、機能情報は、アダプタ２０ａであれば、図４に示されている制御部２２ａによって記憶部２３ａの機器情報記憶領域２Ｍ２ａの機能設定情報記憶領域２Ａ２ａに記憶される。また、機能情報は、外部サーバ４０であれば、図５に示されている制御部４２によって記憶部４３の機器情報記憶領域４Ｍ２の機能設定情報記憶領域４Ａ２に記憶される。さらに、機能情報は、スマートフォン５０であれば、図５に示されている制御部５２によって記憶部５３の機器情報記憶領域５Ｍ２の機能設定情報記憶領域５Ａ２に記憶される。
【００４５】
室内制御装置１３ａ，１３ｂは、室内温度及び外気温度に関する温度データや室内湿度に関する湿度データをアダプタ２０ａ，２０ｂ及びリモートコントローラ１５ａに送信する。例えば、室内制御装置１３ａ，１３ｂは、室外温度センサ２４５ａ，２４５ｂによって検出された外気温度データをアダプタ２０ａ，２０ｂ及びリモートコントローラ１５ａに送信する。このような環境情報は、空気調和機１０ａであれば、図４に示されている制御部１３２ａによって記憶部１３３ａの環境情報記憶領域３Ｍ３ａに記憶される。また、環境情報は、アダプタ２０ａであれば、図４に示されている制御部２２ａによって記憶部２３ａの環境情報記憶領域２Ｍ３ａに記憶される。また、環境情報は、外部サーバ４０であれば、図５に示されている制御部４２によって記憶部４３の環境情報記憶領域４Ｍ３に記憶される。また、環境情報は、スマートフォン５０であれば、図５に示されている制御部５２によって記憶部５３の環境情報記憶領域５Ｍ３に記憶される。さらに、環境情報は、リモートコントローラ１５ａに記憶され、リモートコントローラ１５ａの表示画面に表示される。
【００４６】
図１、図２及び図４に示されているように、室内制御装置１３ａと室外制御装置１４ａとは、通信線を介して互いに接続されて互いにデータの送受信を行っている。また、リモートコントローラ１５ａ及びアダプタ２０ａなどが室内機１１ａに通信可能に接続され、室内機１１ａとリモートコントローラ１５ａなどの筐体の外部にある機器及びアダプタ２０ａなどの内蔵されている機器との間でも通信が行われている。室内制御装置１３ａは、ＣＰＵ（中央演算処理装置）などを含む制御部１３２ａとメモリなどを含む記憶部１３３ａと周辺回路（図示せず）で構成されている。この室内制御装置１３ａの記憶部１３３ａには、制御プログラム及び制御データが記憶されている。制御部１３２ａは、記憶部１３３ａの制御プログラム及び制御データを用いて制御を行なう。この記憶部１３３ａの制御プログラム及び制御データによって、アダプタ２０ａのＳＥＴＵＰボタン２７及びＭＯＤＥボタン２８の操作によりアダプタ２０ａに与えられる指令と同じ指令を室内制御装置１３ａの制御部１３２ａがアダプタ２０ａの制御部２２ａに与えるための機能が実現される。また、記憶部１３３ａには、機器情報記憶領域３Ｍ２ａと環境情報記憶領域３Ｍ３ａとが確保されている。機器情報記憶領域３Ｍ２ａは、空気調和機１０ａの機器情報を保存しておくための記憶領域である。環境情報記憶領域３Ｍ３ａは、空気調和機１０ａが置かれた環境つまり室内や室外の温度及び湿度などに関する環境情報を保存しておくための記憶領域である。さらに機器情報記憶領域２Ｍ２ａには機能設定情報記憶領域２Ａ２ａが確保されており、機能設定情報記憶領域２Ａ２ａは、空気調和機１０ａの機能設定データを保存しておくための記憶領域である。機能設定情報とは、運転指令によって設定された空気調和機１０ａが現在有している設定状態の内容を示すデータである。室外制御装置１４ａも、ＣＰＵ（中央演算処理装置）などを含む制御部１４２ａとメモリなどを含む記憶部１４３ａや周辺回路（図示せず）で構成されている。この室外制御装置１４ａの記憶部１４３ａには、制御プログラム及び制御データが記憶されている。制御部１４２ａは、記憶部１４３ａの制御プログラム及び制御データを用いて制御を行なう。
【００４７】
室内機１１ａには、室内熱交換器２２１の出入口の冷媒の温度を測定するための液側温度センサ２２４とガス側温度センサ２２５が設けられ、室内空気の温度を測定するための室内温度センサ２２６が設けられている。これらの温度センサ２２４〜２２６で測定された温度値は、室内制御装置１３ａに送信される。また、室内機１１ａには、室内の湿度を測定するための湿度センサ２２７が設けられており、湿度センサ２２７で測定された湿度値も室内制御装置１３ａに送信される。さらに、室内制御装置１３ａには、室内ファン２２２のファンモータ及びフラップ２２０ｃの風向調節機構などが接続されている。この室内制御装置１３ａにより、例えば室内ファン２２２のファンモータの回転数や運転・停止が制御される。室内制御装置１３ａにより、風向調節機構がフラップ２２０ｃの角度を変更することにより、吹出口から室内に吹き出される調和空気の向きが調節される。
【００４８】
室外機１２ａには、室外機１２ａの各部の温度を測定するため、室外熱交換器温度センサ２４１、熱交換器出入口温度センサ２４２、吸入側温度センサ２４３、吐出側温度センサ２４４及び室外温度センサ２４５ａなどが設けられている。これらの温度センサ２４１〜２４５ａで測定された温度値は、室外制御装置１４ａに送信される。また、室外機１２ａには、各部の冷媒の圧力を測定するために吸入側圧力センサ２４６及び吐出側圧力センサ２４７などの圧力センサが設けられており、測定された冷媒の圧力値は、室外制御装置１４ａに送信される。
【００４９】
室外制御装置１４ａには、圧縮機２３１のモータ、四路切換弁２３２、電動弁２３４及び室外ファン２３７のファンモータが接続されている。この室外制御装置１４ａにより、例えば圧縮機２３１のモータや室外ファン２３７のファンモータの回転数やそれらの運転・停止が制御され、四路切換弁２３２の切換えが制御され、電動弁２３４の開度が制御される。
【００５０】
（２−２）ネットワーク
空気調和システム１は、公衆回線６０を使ったインターネットや無線ＬＡＮ３５などのネットワークを利用して、空気調和機１０ａ，１０ｂとスマートフォン５０との間で情報の遣り取りが行なえるように構成されている。このような情報の遣り取りが行えるようにするため、空気調和システム１は、アダプタ２０ａ，２０ｂが接続されるルータ３０と、外部サーバ４０と、スマートフォン５０が公衆回線６０を使ったインターネット及び無線ＬＡＮ３５のネットワークに接続できる構成になっている。
【００５１】
（２−２−１）アダプタ２０ａ，２０ｂ
アダプタ２０ａ，２０ｂは、空気調和機１０ａ，１０ｂを無線ＬＡＮ３５に接続するためのネットワークアダプタであって、本実施形態ではアダプタ２０ａが室内機１１ａに内蔵され，アダプタ２０ｂが室内機１１ｂに外付けされている。ただし、アダプタ２０ｂは室内機１１ｂの一部と同じように壁の内部に埋め込まれている。アダプタ２０ａ，２０ｂが内蔵されたり、埋め込まれたりしているため、後ほど詳しく説明するが、アダプタ２０ａ，２０ｂの接続設定の機能が室内機１１ａ，１１ｂに組み込まれており、アダプタ２０ａ，２０ｂもこのような室内機１１ａ，１１ｂの機能に対応できるように構成されている。なお、アダプタ２０ａ，２０ｂには同じ構成を採用することができるので、ここではアダプタ２０ａの構成について説明し、他のアダプタ２０ｂの構成については説明を省略する。
【００５２】
アダプタ２０ａは、図４に示されているように、通信部２１ａと制御部２２ａと記憶部２３ａとタイマ２４ａとを有しており、空気調和機１０ａを無線ＬＡＮ３５に接続する接続機能の他、空気調和機１０ａを制御する制御機能を有している。
【００５３】
記憶部２３ａには、制御プログラム及び制御データが記憶されている。制御部２２ａは、記憶部２３ａの制御プログラム及び制御データを用いて制御を行なう。この制御プログラム及び制御データは、例えばＷＰＳ（Wi-Fi Protected Setup）に対応しており、ルータ３０の有するＷＰＳ機能によって無線ＬＡＮ３５への接続が容易に行なえるようになっている。そして、ＷＰＳに対応している機能を起動させるための接続設定が室内機１１ｂからできるようにプログラムされている。また、記憶部２３ａには、機器情報記憶領域２Ｍ２ａと環境情報記憶領域２Ｍ３ａとが確保されている。機器情報記憶領域２Ｍ２ａは、空気調和機１０ａから送信されてくる機器情報を一時的に保存しておくための記憶領域である。環境情報記憶領域２Ｍ３ａは、空気調和機１０ａから送信されてくる温度や湿度に関する環境情報を一時的に保存しておくための記憶領域である。さらに機器情報記憶領域２Ｍ２ａには機能設定情報記憶領域２Ａ２ａが確保されており、機能設定情報記憶領域２Ａ２ａは、空気調和機１０ａから送信されてくる機能設定情報を一時的に保存しておくための記憶領域である。
【００５４】
そして、制御部２２ａは、タイマ２４ａを使って定期的に（例えば１分毎に）機器情報記憶領域２Ｍ２ａ内の機器情報及び環境情報記憶領域２Ｍ３ａ内の環境情報を定期発報データに含めて外部サーバ４０に送信する。この定期発報データは、定期的にアダプタ２０ａ，２０ｂから外部サーバ４０に送信される空調関連情報である。
【００５５】
また、記憶部２３ａには、サーバアドレス及びアダプタ２０ａの識別番号が予め記憶されている。さらに、記憶部２３ａには、外部サーバ４０に割り当てられた機器ＩＤが記憶されている。機器ＩＤは、外部サーバ４０上でアダプタ２０ａを一意に識別する情報となる。記憶部２３ａには、これら識別番号や機器ＩＤを記憶するための通信設定用情報記憶領域２Ｍ１ａが確保されている。
【００５６】
さらに、例えばアダプタ２０ａには、種々の設定を行なうために、ＳＥＴＵＰボタン２７及びＭＯＤＥボタン２８が設けられている。ＳＥＴＵＰボタン２７及びＭＯＤＥボタン２８は制御部２２ａに接続されている。また、種々の設定の確認を行なうために、ＬＥＤ２０ａＬが設けられている。
【００５７】
（２−２−２）ルータ３０
ルータ３０は、アダプタ２０ａ，２０ｂが無線ＬＡＮ３５に接続されると、アダプタ２０ａ，２０ｂの存在を自動的に検出し、アダプタ２０ａ，２０ｂのネットワーク情報の登録を行う。そのために必要な機能として、ルータ３０は、例えばＷＰＳ機能を有しており、ＷＰＳ機能を動作させるためのＷＰＳボタン３１を持っている。また、ルータ３０の動作状態の確認のためにＬＥＤ３０Ｌを持っている。例えば、最初にアダプタ２０ａを無線ＬＡＮ３５に最初に接続するときには、ルータ３０のＷＰＳボタン３１とアダプタ２０ａのＳＥＴＵＰボタン２７を同時に押し、アダプタ２０ａとルータ３０の接続設定が先ず行なわれる。この接続設定によりルータ３０がアダプタ２０ａ，２０ｂの存在を検出してネットワーク情報の登録が行なわれると、アダプタ２０ａ，２０ｂは、無線ＬＡＮ３５内の他のネットワーク機器、及び公衆回線６０上のネットワーク機器との通信が可能になる。ルータ３０は、データを２つ以上の異なるネットワーク間に中継する通信機器であって、ここでは公衆回線６０を使ったインターネットと無線ＬＡＮ３５との中継を行なう通信機能を有しており、アダプタ２０ａ，２０ｂと外部サーバ４０との中継を行なっている。
【００５８】
（２−２−３）外部サーバ４０
図５に示されているように、外部サーバ４０は、通信部４１と制御部４２と記憶部４３とを有している。通信部４１は、外部サーバ４０の通信機能を担っており、外部サーバ４０の公衆回線６０を介したインターネットへの接続を可能にし、外部サーバ４０を経由した空気調和機１０ａ，１０ｂとスマートフォン５０との通信を可能にする。
【００５９】
記憶部４３には、空気調和機１０ａ，１０ｂに関する各種データを蓄積するための様々なデータベースが定義されている。例えば、記憶部４３には、アダプタ２０ａ，２０ｂから外部サーバ４０へとインターネットを介して送信されてくる、定期発報データを蓄積する空調関連情報データベースＤＢ３が定義されている。ここで空調関連情報とは、空気調和機及びその環境など空気調和機の運転に関連する情報である。なお、空調関連情報データベースＤＢ３には、空気調和機１０ａ，１０ｂに関する各種データが当該空気調和機１０ａ，１０ｂに接続されているアダプタ２０ａ，２０ｂに割り当てられた機器ＩＤに関連付けられた態様で格納される。スマートフォン５０から外部サーバ４０にアクセスして空調関連情報データベースＤＢ３を用いて、アダプタ２０ａ，２０ｂ毎に、すなわち空気調和機１０ａ，１０ｂ毎に、空気調和機１０ａ，１０ｂに関する各種データの管理が実行される。
【００６０】
また、記憶部４３には、空気調和機１０ａ，１０ｂに関する基本的な登録情報（以下、基本情報）を格納する基本情報データベースＤＢ１が定義されている。基本情報データベースＤＢ１には、アダプタ２０ａ，２０ｂの機器ＩＤ、当該アダプタ２０ａ，２０ｂが接続された空気調和機１０ａ，１０ｂの保有する各種機能に関するデータなどが１つのレコードとして格納される。基本情報データベースＤＢ１内のレコードは、空気調和機１０ａ，１０ｂに１対１で対応する。
【００６１】
さらに、記憶部４３には、空気調和機１０ａ，１０ｂのユーザーによる各種設定に関する情報を格納するアクセス情報データベースＤＢ２が定義されている。アクセス情報データベースＤＢ２には、登録された空気調和機１０ａ，１０ｂのアダプタ２０ａ，２０ｂの機器ＩＤ、該空気調和機１０ａ，１０ｂに対してユーザーが任意で設定した機器名称、当該空気調和機１０ａ，１０ｂのユーザーに割り当てられているログインＩＤ及びパスワードを含むユーザーの個人情報などが１つのレコードとして格納される。パスワードは、ユーザーが外部サーバ４０にログインＩＤでログインする際のログイン権限を認証するためのものである。アクセス情報データベースＤＢ２内のレコードは、ユーザーの権限に１対１で対応する。
【００６２】
制御部４２は、ＣＰＵ、ＲＡＭ及びＲＯＭ等から構成されており、記憶部４３に記憶されている制御プログラムを実行する。また、制御部４２は、上記データベースに格納されている各種データを、公衆回線６０を使ったインターネットを介してユーザーのスマートフォン５０に送信する。なお、制御部４２は、インターネットを介したスマートフォン５０からの情報送信要求に応じて、スマートフォン５０に各種データを送信することができるように構成されている。また、制御部４２は、インターネットを介してスマートフォン５０から受信した操作情報を制御指令としてアダプタ２０ａ，２０ｂに送信する。なお、この制御指令は、アダプタ２０ａ，２０ｂからの定期発報データを受けた時に外部サーバ４０からアダプタ２０ａ，２０ｂに対して送信される。また、各空気調和機１０ａ，１０ｂはアダプタ２０ａ，２０ｂの機器ＩＤにより識別されている。
【００６３】
（２−３）スマートフォン５０
以下より、携帯端末としてスマートフォン５０が採用されている場合を例として説明する。図５に示されているように、スマートフォン５０は、通信部５１と制御部５２と記憶部５３と入出力部５４とを有している。通信部５１は、通話機能の他、公衆回線６０を介したインターネットへの接続を可能にする機能を持っている。制御部５２は、ＣＰＵ、ＲＡＭ及びＲＯＭ等からなり、記憶部５３はフラッシュメモリ等からなる。入出力部５４は、表示画面ＤＳ１を含むタッチスクリーンで形成されている。
【００６４】
スマートフォン５０には、スマートフォン５０により空気調和機１０ａ，１０ｂを管理するための空調管理プログラムが搭載される。記憶部５３に記憶されている空調管理アプリケーションＡＰ１が、空調管理プログラムである。空調管理アプリケーションＡＰ１は、例えば公衆回線６０を介してインターネットに接続して外部サーバ４０からダウンロードすることができるように構成されている。ユーザーは、空調管理アプリケーションＡＰ１により生成され表示画面ＤＳ１に提供される画像を介して、空気調和機１０ａ，１０ｂの機器設定、及び空気調和機１０ａ，１０ｂの操作などを行う。なお、空調管理アプリケーションＡＰ１には、サーバアドレスが保持されている。
【００６５】
（３）各種設定
（３−１）初期設定
これらアダプタ２０ａ，２０ｂは、空気調和機１０ａ，１０ｂ及びルータ３０に接続されると、空気調和機１０ａ，１０ｂ及びアダプタ２０ａ、２０ｂを外部サーバ４０に登録するための初期設定をそれぞれ自動的に実行する。この自動の初期設定を始めさせるために、接続設定が先ず行なわれる。
【００６６】
（３−１−１）接続設定
通常の接続設定では、例えば、まずアダプタ２０ａのＭＯＤＥボタン２８（図３参照）を「長押し」となるように所定時間押してアダプタ２０ａが接続設定できるスタンバイ状態にする。そして、ルータ３０のＷＰＳボタン３１を「長押し」となるように所定時間押す。さらに、アダプタ２０ａのＳＥＴＵＰボタン２７（図３参照）を「長押し」となるように所定時間押す。
【００６７】
ところが、アダプタ２０ａは室内機１１ａに内蔵され、アダプタ２０ｂは建物１００の壁に埋め込まれているので、ボタンを押すという作業が困難になっている。このような場合には、リモートコントローラ１５ａ，１５ｂを使って接続設定が行なえる。以下、リモートコントローラ１５ａを例に挙げて、このような接続設定について説明する。
【００６８】
リモートコントローラ１５ａは、例えば入出力部１５４の特定のボタン（例えば「自動ボタン」など）が「長押し」となるように所定時間押されると、制御部１５２がアダプタ２０ａをセットアップモードにするように指示されたことを認識する。セットアップモードにすることを指示されると、制御部１５２は、記憶部１５３に記憶されているプログラムに従って、表示画面ＤＳ２の表示を図６（ａ）に記載されている通常の表示から、図６（ｂ）に記載されているセットアップモードの表示に切り換える。
【００６９】
セットアップモードで表示画面に表示される数字は、「１」が設定状態の確認モードを示しており、「２」がＷＰＳの設定モードを示しており、「３」がＡＰモード切換のモードを示しており、「４」がＲＵＮモード切換のモードを示しており、「５」がアダプタ初期化モードを示している。これらのモードは、入出力部１５４のモード切換ボタンを押すことによって切り換えることができる。そして、入出力部１５４の決定ボタンを押すことにより、表示されている数字のモードでの設定が行なわれる。ここでＡＰモードとは、スマートフォン５０にルータ３０が直接、無線ＬＡＮ接続するモードである。そして、ＲＵＮモードとは、アダプタ２０ａがルータ３０に無線ＬＡＮ接続するモードである。
【００７０】
表示画面ＤＳ２に「１」が表示されている状態でリモートコントローラ１５ａの入出力部１５４の決定ボタンが押されると、制御部１５２は、設定状態を確認するための設定状態確認モードに移行するように、室内機１１ａの室内制御装置１３ａに対して指令を通信部１５１から送信する。確認モードに移行する指令を受信した室内制御装置１３ａは、制御部１３２ａによってアダプタ２０ａの制御部２２ａとの間で情報の交換を行う。そして、アダプタ２０ａが「接続済」であるか、または「未接続」であるかを示す情報を制御部１３２ａは制御部２２ａから取得する。「接続済」の状態とは、既にアダプタ２０ａとルータ３０との接続設定が完了した状態であり、「未接続」の状態とは、アダプタ２０ａとルータ３０との接続設定が完了していない状態である。次に、室内制御装置１３ａの制御部１３２ａは、取得した情報が「接続済」であれば、タイマ表示用ランプＬ２に比較的長いインターバルで点滅を繰り返させる。もし、取得した情報が「未接続」であれば、運転表示用ランプＬ１とタイマ表示用ランプＬ２に交互の点滅を繰り返させる。この運転表示用ランプＬ１とタイマ表示用ランプＬ２による交互の点滅は、ＲＵＮモードであることを表している。もし、ＡＰモードであれば、制御部１３２ａは、運転表示用ランプＬ１に比較的長いインターバルで点滅を繰り返させる。
【００７１】
もし「未接続」であれば、ユーザーは、アダプタ２０ａとルータ３０の接続を行なうためにリモートコントローラ１５ａの入出力部１５４のモード切換ボタンを押して表示画面ＤＳ２に数字の「２」が表示される状態に切り換える。また、ルータ３０のＷＰＳボタン３１を「長押し」となるように所定時間押す。そして、表示画面ＤＳ２に数字の「２」が表示されたことを確認して、ユーザーは、決定ボタンを押してＷＰＳ設定モードにする。
【００７２】
表示画面ＤＳ２に「２」が表示されている状態でリモートコントローラ１５ａの入出力部１５４の決定ボタンが押されると、制御部１５２は、ＷＰＳ設定モードに移行するように、室内機１１ａの室内制御装置１３ａに対して指令を通信部１５１から送信する。ＷＰＳ設定モードに移行する指令を受信した室内制御装置１３ａは、制御部１３２ａによってアダプタ２０ａの制御部２２ａに対して、ＷＰＳ機能に対応するように指令を与える。つまり、この指令を受けたアダプタ２０ａは、アダプタ２０ａでＳＥＴＵＰボタン２７が「長押し」となるように所定時間押された状態と同じ状況になる。
【００７３】
室内制御装置１３ａの制御部１３２ａからアダプタ２０ａの制御部２２ａにＷＰＳ機能に対応するように指令が与えられると、「ＷＰＳ中」の状態ということになる。「ＷＰＳ中」の状態においては、室内制御装置１３ａの制御部１３２ａは、タイマ表示用ランプＬ２に比較的短いインターバルで点滅を繰り返させる。そして、ＷＰＳによる設定が終了すると、タイマ表示用ランプＬ２が消灯する。
【００７４】
スマートフォン５０をルータ３０に直接無線ＬＡＮ接続する際には、ユーザーは、リモートコントローラ１５ａの入出力部１５４のモード切換ボタンで表示画面ＤＳ２に数字の「３」が表示された状態に切り換えて、入出力部１５４の決定ボタンを押す。表示画面ＤＳ２に「３」が表示されている状態でリモートコントローラ１５ａの入出力部１５４の決定ボタンが押されると、制御部１５２は、ＡＰモードに移行するように、室内機１１ａの室内制御装置１３ａに対して指令を通信部１５１から送信する。ＡＰモードに移行する指令を受信した室内制御装置１３ａは、制御部１３２ａによってアダプタ２０ａの制御部２２ａに対して、ＡＰモードに移行するように指令を与える。つまり、この指令を受けたアダプタ２０ａは、アダプタ２０ａがＲＵＮモードになっている状態で、ＭＯＤＥボタン２８が「長押し」となるように所定時間押された状態と同じ状況になる。それにより、スマートフォン５０はルータ３０に直接無線ＬＡＮ接続し得る状態になる。このとき、室内制御装置１３ａの制御部１３２ａは、運転表示用ランプＬ１に比較的長いインターバルで点滅を繰り返させる。
【００７５】
逆に、ルータ３０がＡＰモードになっているときに、ＲＵＮモードにしたいときには、ユーザーは、リモートコントローラ１５ａの入出力部１５４のモード切換ボタンで表示画面ＤＳ２に数字の「４」が表示された状態に切り換えて、入出力部１５４の決定ボタンを押す。表示画面ＤＳ２に「４」が表示されている状態でリモートコントローラ１５ａの入出力部１５４の決定ボタンが押されると、制御部１５２は、ＲＵＮモードに移行するように、室内機１１ａの室内制御装置１３ａに対して指令を通信部１５１から送信する。ＲＵＮモードに移行する指令を受信した室内制御装置１３ａは、制御部１３２ａによってアダプタ２０ａの制御部２２ａに対して、ＲＵＮモードに移行するように指令を与える。このときのＬＥＤ１１ａＬの表示は、設定状態確認モードの場合と同じになる。
【００７６】
アダプタ２０ａを初期化したいときには、ユーザーは、リモートコントローラ１５ａの入出力部１５４のモード切換ボタンで表示画面ＤＳ２に数字の「５」が表示された状態に切り換えて、入出力部１５４の決定ボタンを押す。表示画面ＤＳ２に「５」が表示されている状態でリモートコントローラ１５ａの入出力部１５４の決定ボタンが押されると、制御部１５２は、アダプタ２０ａを初期化するように、室内機１１ａの室内制御装置１３ａに対して指令を通信部１５１から送信する。アダプタ２０ａの初期化の指令を受信した室内制御装置１３ａは、制御部１３２ａによってアダプタ２０ａの制御部２２ａに対して、初期化を行なうように指令を与える。つまり、この指令を受けたアダプタ２０ａは、アダプタ２０ａがＳＥＴＵＰボタン２７とＭＯＤＥボタン２８が同時に「長押し」となるように所定時間押された状態と同じ状況になり、初期化される。
【００７７】
（３−１−２）接続設定後の設定
アダプタ２０ａは、無線ＬＡＮ３５に接続されると、例えば、アダプタ２０ａの通信部２１ａから外部サーバ４０の通信部４１にルータ３０を介して自動的に識別番号を外部サーバ４０に送信するようにプログラムされている。アダプタ２０ｂも、同様に、ルータ３０を介して自動的に識別番号を外部サーバ４０に送信するようにプログラムされている。
【００７８】
外部サーバ４０の制御部４２は、アダプタ２０ａ，２０ｂから識別番号を受信すると、各アダプタ２０ａ，２０ｂの識別番号毎にそれぞれ個別の機器ＩＤを作成して識別番号と作成した該機器ＩＤとを関連付け、基本情報データベースＤＢ１に登録する。また、外部サーバ４０の制御部４２は、該機器ＩＤを、対応するアダプタ２０ａ，２０ｂに送信する。
【００７９】
アダプタ２０ａ，２０ｂは、外部サーバ４０から機器ＩＤを受信すると、機器ＩＤを記憶部２３ａに記憶する。次に、アダプタ２０ａ，２０ｂは、各アダプタ２０ａ，２０ｂに接続されている空気調和機１０ａ，１０ｂの保有する各種機能に関するデータを外部サーバ４０に送信する。
【００８０】
外部サーバ４０の通信部４１がアダプタ２０ａ，２０ｂから空気調和機１０ａ，１０ｂの保有する各種機能に関するデータを受信すると、制御部４２は、各アダプタ２０ａ，２０ｂの機器ＩＤと空気調和機１０ａ，１０ｂの保有する各種機能に関するデータとを関連付けて、記憶部４３の基本情報データベースＤＢ１に登録する。これにより、外部サーバ４０に空気調和機１０ａ，１０ｂの登録が行われ、空気調和機１０ａ，１０ｂの初期設定が終了する。
【００８１】
このような初期設定が終了すると、外部サーバ４０とアダプタ２０ａ，２０ｂとが互いの存在を識別しながら、公衆回線６０を使ったインターネットを介して相互にデータを交換することができるようになる。
【００８２】
（３−２）空気調和機の機器設定
空気調和機１０ａ，１０ｂの機器設定は、スマートフォン５０を操作して行う設定であり、空気調和機１０ａ，１０ｂの初期設定後に実行される。ユーザーは、スマートフォン５０に搭載されている空調管理アプリケーションＡＰ１を起動し、外部サーバ４０にアクセスする。そして、スマートフォン５０を使って、機器名称や機器設置場所や外部からの操作の可否などの設定を行う。このような機器設定に関する情報は、スマートフォン５０の機器情報記憶領域５Ｍ２の機器設定情報記憶領域５Ａ１と、外部サーバ４０の機器情報記憶領域４Ｍ２の機器設定情報記憶領域４Ａ１と、アダプタ２０ａ，２０ｂに記憶される。例えば、アダプタ２０ａであれば、機器設定に関する情報が、記憶部２３ａの機器情報記憶領域２Ｍ２ａの機器設定情報記憶領域２Ａ１ａに記憶される。
【００８３】
（４）空調管理アプリケーションを用いた空気調和機の監視、操作
スマートフォン５０によって、空調管理アプリケーションＡＰ１を起動させて行う空気調和機１０ａ，１０ｂの監視及び操作について簡単に説明する。建物１００の外部において、スマートフォン５０の空調管理アプリケーションＡＰ１が起動され、ユーザーによってログインＩＤおよびパスワードが入力されると、制御部５２が、ログインＩＤに関連づけられた全てのアダプタ２０ａ，２０ｂに接続されている空気調和機１０ａ，１０ｂの情報を、通信部５１を介して外部サーバ４０に要求する。かかる情報送信要求を受けて、外部サーバ４０は、空調関連情報データベースＤＢ３に記憶されている、ログインＩＤに関連づけられているアダプタ２０ａ，２０ｂが接続された空気調和機１０ａ，１０ｂに関する空調関連情報を、スマートフォン５０に送信する。この空気調和機１０ａ，１０ｂに関する空調関連情報には、機器情報及び環境情報などが含まれている。
【００８４】
この空気調和機１０ａ，１０ｂに関する空調関連情報は、制御部５２が空調管理アプリケーションＡＰ１を実行することによって受信され、スマートフォン５０の記憶部５３の機器情報記憶領域５Ｍ２及び環境情報記憶領域５Ｍ３に一時的に記憶される。そしての空気調和機１０ａ，１０ｂに関する空調関連情報に基づいて、空調管理アプリケーションＡＰ１の実行によって制御部５２が、入出力部５４の表示画面ＤＳ１に表示させる監視・操作用の空気調和機管理画面を生成する。
【００８５】
具体的には、スマートフォン５０の空調管理アプリケーションＡＰ１が起動されると、まず、監視や操作が可能な空気調和機１０ａ，１０ｂの一覧画像が表示される。そして、ユーザーが、表示画面ＤＳ１上の一覧画像に含まれる空気調和機１０ａ，１０ｂのアイコンを１つタップすると、タッチスクリーンの機能によって、例えば図７に示すような「リビングエアコン」（例えば空気調和機１０ａ）の監視・操作用の空気調和機管理画面が表示される。制御部５２は、空調管理アプリケーションＡＰ１の実行によって、記憶部５３に一時記憶されている空気調和機１０ａ，１０ｂに関する空調関連情報を参照する。例えば、制御部５２は、環境情報記憶領域５Ｍ３に記憶されている２９℃という室内温度、３３℃という室外温度及び５０％という室内湿度が記載された空気調和機管理画面を生成する。また、制御部５２は、機能設定情報記憶領域５Ａ２に記憶されている運転／停止状態、冷房という運転モード及び２７℃という設定温度などが記載された空気調和機管理画面を生成する。また、制御部５２は、その「リビングエアコン」の機器設定情報に応じて、空気調和機画面の構成を変える。例えば図４の機器設定情報が「リビングエアコン」に消費電力の計測機能が備わっていることを示す場合には、図７に示す空気調和機管理画面のように、消費電力の表示画面に遷移するための「消費電力」の監視画面ＤＳ１１が表示される。
【００８６】
また、空調管理アプリケーションＡＰ１の実行により、制御部５２は、空気調和機管理画面が表示されている入出力部５４を介して、ユーザーから空気調和機１０ａ，１０ｂの操作入力を受け付ける。ユーザーが図７に示す空気調和機管理画面が表示された表示画面ＤＳ１において「停止」ボタンＤＳ１２を押すと、「リビングエアコン」を運転状態から停止状態にする「運転停止」の操作コマンドが入出力部５４から制御部５２に送られる。制御部５２では、機器設定情報記憶領域５Ａ１の情報に基づいて例えば「リビングエアコン」が空気調和機１０ａであることを特定し、この「運転停止」の操作の指示に従って記憶部５３の機能設定情報記憶領域５Ａ２に記憶されている空気調和機１０ａの機能設定情報を「運転状態」から「停止状態」に書き換える。空気調和機１０ａを停止状態にする情報は、スマートフォン５０の通信部５１から外部サーバ４０の通信部４１に送られる。外部サーバ４０の通信部５１で受信された空気調和機１０ａを停止状態にする情報は、制御部４２によって、記憶部４３の機能設定情報記憶領域４Ａ２に一時的に記憶される。
【００８７】
外部サーバ４０は、例えば定期発報データをアダプタ２０ａ，２０ｂが外部サーバ４０に送信してくる際に、「運転停止」の操作コマンドをアダプタ２０ａ，２０ｂに送る。定期発報データを送信するときには、例えばアダプタ２０ａの通信部２１ａと外部サーバ４０の通信部４１がインターネットにより公衆回線６０を介して接続される。この接続を制御部４２が認識すると、記憶部４３の機能設定情報記憶領域４Ａ２に記憶されている空気調和機１０ａを停止状態にする情報を通信部４１及び通信部２１ａによって送信する。空気調和機１０ａを停止状態にする情報を外部サーバ４０から受信したアダプタ２０ａの制御部２２ａは、記憶部２３ａの機能設定情報記憶領域２Ａ２ａの機能設定情報に記憶されている空気調和機１０ａの運転状態という機能設定情報を停止状態に書き換える。このとき同時に、アダプタ２０ａの制御部２２ａは、室内機１１ａの室内制御装置１３ａの制御部１３２ａに運転状態から停止状態にする指令を送信する。停止状態にする指令を受信した制御部１３２ａは、空気調和機１０ａの運転を停止するとともに、記憶部１３３ａの機能設定情報記憶領域３Ａ２ａの運転状態という機能設定情報を停止状態に書き換える。
【００８８】
逆に、「リビングエアコン」が停止状態にあるときに、スマートフォン５０の表示画面ＤＳ１において「運転」ボタンＤＳ１３をタップすると、「リビングエアコン」を運転状態に変える操作コマンドが制御部５２に送られる。停止状態から運転状態にするときも、上述のように、運転状態の機能設定情報が外部サーバ４０からアダプタ２０ａを介して空気調和機１０ａの室内機１１ａに送信され、空気調和機１０ａが停止状態から運転状態にされる。
【００８９】
さらに、他の「運転モード」ボタンＤＳ１４、「設定温度」ボタンＤＳ１５、「設定しつど」ボタンＤＳ１６をタップして、ユーザーが操作入力を行うと、空調管理アプリケーションＡＰ１の実行によって、機能設定情報がスマートフォン５０から外部サーバ４０を経由してアダプタ２０ａ，２０ｂに送られる。
【００９０】
（５）空調管理プログラムを用いた建物内からの空気調和機の監視、操作
建物１００の内部において、スマートフォン５０の空調管理アプリケーションＡＰ１が起動され、ユーザーによってログインＩＤおよびパスワードが入力されると、無線ＬＡＮ３５を介してスマートフォン５０とアダプタ２０ａ，２０ｂが接続される。そのため、空調管理アプリケーションＡＰ１の実行によって、スマートフォン５０とアダプタ２０ａ、２０ｂが接続されて、スマートフォン５０の通信部５１が、直接アダプタ２０ａ，２０ｂの通信部２１ａとの間で通信を確立する。このとき、スマートフォン５０とアダプタ２０ａ，２０ｂの情報の遣り取りは、外部サーバ４０を経由せずに行なわれる。しかし、スマートフォン５０を使って指示することによって書き換えられた機器情報は、定期発報データとして定期的に外部サーバ４０に送られる。そのため、タイムラグはあるが、外部サーバ４０の記憶部４３に記憶されている機器情報も定期的に更新される。
【００９１】
スマートフォン５０とアダプタ２０ａ，２０ｂが接続されると、空調管理アプリケーションＡＰ１の実行によって制御部５２が、アダプタ２０ａ，２０ｂに接続されている空気調和機１０ａ，１０ｂの情報を、通信部５１を介してアダプタ２０ａ，２０ｂに要求する。かかる情報送信要求を受けて、アダプタ２０ａ，２０ｂは、記憶部２３ａに記憶されている空気調和機１０ａ，１０ｂに関する空調関連情報を、スマートフォン５０に送信する。その後の、監視・操作用の空気調和機管理画面の生成までは、建物１００の外部におけるスマートフォン５０の空調管理アプリケーションＡＰ１の動作と同じである。また、ユーザーからの空気調和機１０ａ，１０ｂの操作入力の受け付けまでは、建物１００の外部におけるスマートフォン５０の空調管理アプリケーションＡＰ１の動作と同様である。
【００９２】
（６）特徴
（６−１）
以上説明したように、リモートコントローラ１５ａ，１５ｂは、空気調和機１０ａ，１０ｂの操作を行うために、室内機１１ａ，１１ｂ（本体の例）に運転指令などの操作情報を送信することができるように構成されている。また、空気調和機１０ａ，１０ｂには、アダプタ２０ａ，２０ｂ（ＬＡＮ接続部の例）の接続設定の機能が室内機１１ａ，１１ｂに組み込まれており、アダプタ２０ａ，２０ｂもこのような室内機１１ａ，１１ｂの機能に対応できるように構成されている。そして、ユーザーは、リモートコントローラ１５ａ，１５ｂを使って、室内機１１ａ，１１ｂの接続設定の機能を実行させることで、アダプタ２０ａ，２０ｂのＳＥＴＵＰボタン２７及び／又はＭＯＤＥボタン２８に物理的にアクセスしなくてもＬＡＮに関する設定を行える。天井埋め込み型の室内機１１ａ及び壁埋め込み型の室内機１１ｂのように、天井裏にアダプタ２０ａが設置される場合及び壁の中にアダプタが埋め込まれる場合であっても、リモートコントローラ１５ａ，１５ｂを使って室内ＲＭに居ながらにしてＬＡＮの設定を行うことができる。このように空気調和システム１では、アダプタ２０ａ，２０ｂの設置場所によらずにアダプタ２０ａ，２０ｂのＬＡＮの設定を容易に行うことができる。
【００９３】
（６−２）
空気調和機１０ａ，１０ｂは、リモートコントローラ１５ａ，１５ｂを用いたＬＡＮに関する設定についての設定情報を通知するために、表示を行なう表示画面ＤＳ２及びＬＥＤ１１ａＬ，１１ｂＬ（表示部の例）を有している。このような構成により、表示画面ＤＳ２及びＬＥＤ１１ａＬ，１１ｂＬに表示されるＬＡＮの設定の内容を確認しながらアダプタ２０ａ，２０ｂに対してＬＡＮに関する設定ができ、アダプタ２０ａ，２０ｂに対するＬＡＮに関する設定の誤操作を減らすことができる。
【００９４】
空気調和機１０ａ，１０ｂは、室内機１１ａ，１１ｂがＬＥＤ１１ａＬ，１１ｂＬを有し、ＬＥＤ１１ａＬ，１１ｂＬを使って設定情報を表示する。ここで、リモートコントローラ１５ａのように表示画面ＤＳ２がないリモートコントローラが空気調和機に付属していてリモートコントローラを使っては設定情報を操作者に通知できないケースを考えてみる。このようなケースでも、空気調和機１０ａは、ＬＥＤ１１ａＬの使用によって、ユーザーなどにＬＡＮの設定情報を伝えられる。つまり、ＬＥＤを使ってアダプタの設定の内容の確認ができると、リモートコントローラの種類によらずに空気調和機においてアダプタの設定内容の確認が可能になり、アダプタの設定内容の確認が可能な空気調和機の機種を増やすことができる。
【００９５】
しかし、リモートコントローラ１５ａの表示画面ＤＳ２のように、設定情報が表示されると、リモートコントローラ１５ａを持つ手元で設定の内容を確認しながらＬＡＮに関する設定が行なえる。このように、アダプタ２０ａに対する内容の確認が手元で行なえれば、例えばリモートコントローラ１５ａだけを見ながらアダプタ２０ａの接続設定ができて便利である。
【００９６】
（６−３）
図３に示されているように、アダプタ２０ａは、リモートコントローラ１５ａを用いずにＬＡＮに関する設定を行なうためのＳＥＴＵＰボタン２７（設定ボタンの例）を有している。このような構成を有していることから、空気調和機１０ａのリモートコントローラ１５ａが使用できない状況であっても、リモートコントローラ１５ａを用いずにＬＡＮに関する設定がアダプタ２０ａのＳＥＴＵＰボタン２７により行なえる。アダプタ２０ａがＳＥＴＵＰボタン２７を有していることで、リモートコントローラが付属しない空気調和機ではアダプタに対してＬＡＮの設定ができなくなるという不都合を解消することができる。
【００９７】
（６−４）
図３に示されているように、アダプタ２０ａは、室内機１１ａの内部言い換えれば空気調和機１０ａの内部に取り付けられている。アダプタ２０ａが室内機１１ａに内蔵されていると、アダプタ２０ａを室内機１１ａに取り付ける手間が省ける。その一方、アダプタ２０ａのＬＡＮに関する設定がリモートコントローラ１５ａにより行なえるので、設定のために天井裏でアダプタ２０ａのＳＥＴＵＰボタン２７を押すなどのアダプタ２０ａに対する作業が省ける。このように室内機１１ａを天井に埋め込む作業によってアダプタ２０ａも天井に設置され、天井裏に設置されたアダプタ２０ａの接続設定をリモートコントローラ１５ａで行なうことで、空気調和機１０ａ及びアダプタ２０ａの施工とＬＡＮに関する設定とに係る工数を削減することができる。
【００９８】
（７）変形例
（７−１）変形例Ａ
上記実施形態では、空気調和機１０ａ，１０ｂの表示画面ＤＳ２及びＬＤＥ１１ａＬ，１１ｂＬによってアダプタ２０ａ，２０ｂの接続設定時の設定情報を通知する場合について説明した。しかし、設定情報を通知する方法は、表示部による表示だけに限られず、例えば、音声を発する音声部による通知方法を用いることもできる。
【００９９】
（７−２）変形例Ｂ
上記実施形態では、携帯端末としてスマートフォン５０を例に挙げて説明したが、例えば携帯電話機、タブレット型コンピュータやノート型コンピュータなどの携帯可能なコンピュータ等を携帯端末として用いることができる。
【０１００】
（７−３）変形例Ｃ
上記実施形態の図１においては、建物１００が１つだけ示されているが、一つの空気調和システム１に、複数の建物１００に設置される複数組の空気調和機１０ａ，１０ｂ、アダプタ２０ａ，２０ｂ及び無線ＬＡＮ３５が含まれてもよい。すなわち、インターネット上の外部サーバ４０は、例えば空気調和機の製造会社や販売会社、あるいはメンテナンス会社によって運営される場合に、多数の建物１００内の空気調和機の情報が外部サーバ４０内に蓄積されるように構成することもできる。
【０１０１】
また、上記実施形態では、無線ＬＡＮ３５に接続されている空気調和機１０ａ，１０ｂが２台の場合について説明したが、無線ＬＡＮ３５に接続される空気調和機は１台であってもよく、あるいは３台以上であってもよい。
【０１０２】
また、本発明の適用できるＬＡＮは無線ＬＡＮ３５に限られるものではなく、本願発明は有線のＬＡＮの場合にも適用できる。
【０１０３】
（７−４）変形例Ｄ
上記実施形態では、１台の室内機１１ａ，１１ｂにそれぞれ１台の室外機１２ａ，１２ｂが接続される場合について説明したが、１台の室外機に複数台の室内機が接続されるマルチ型空気調和機にも本願発明を適用できる。
【０１０４】
また、上記実施形態では、１台の室内機１１ａ，１１ｂにそれぞれ１台のリモートコントローラ１５ａ，１５ｂが付属する場合について説明したが、１台の室内機に複数台のリモートコントローラを付属させる場合にも本発明を適用でき、また複数台の室内機に１台のリモートコントローラを付属させる場合にも本発明を適用できる。
【０１０５】
（７−５）変形例Ｅ
上記実施形態では、アダプタ２０ａ，２０ｂの機能と室内機１１ａ，１１ｂの室内制御装置１３ａ，１３ｂの機能とが別体に設置されている場合について説明したが、空気調和機がアダプタの機能を備えるように構成することもできる。例えば、図８に示されている室内制御装置１３ｃは、アダプタ２０ａが備えていた通信部２１ａ及び記憶部２３ａなどを全て備えており、アダプタ２０ａの制御部２２ａの機能と室内制御装置１３ａの制御部１３２ａの機能を合わせ持つ制御部１３２ｃを備えている。このように構成されている図８の空気調和機１０ｃは、室内機１１ｃの室内制御装置１３ｃにアダプタ２０ａの機能が組み込まれて、ＬＡＮ機能を有する空気調和機となっている。この場合、室内制御装置１３ｃがＬＡＮ接続部になる。
【符号の説明】
【０１０６】
１    空気調和システム
１０ａ，１０ｂ，１０ｃ    空気調和機
１１ａ，１１ｂ，１１ｃ    室内機（本体）
１１ａＬ，１１ｂＬ    ＬＥＤ（表示部）
１３ａ，１３ｂ，１３ｃ  室内制御装置
１５ａ，１５ｂ    リモートコントローラ
２０ａ，２０ｂ    アダプタ
２７    ＳＥＴＵＰボタン（設定ボタン）
３０    ルータ
３１    ローカルエリアネットワーク（ＬＡＮ）
４０    外部サーバ
５０    スマートフォン
６０    公衆回線
ＤＳ１    表示画面
ＤＳ２    表示画面（表示部）
【先行技術文献】
【特許文献】
【０１０７】
【特許文献１】特開２００２−２８１１６９号公報
【手続補正３】
【補正対象書類名】図面
【補正対象項目名】図３
【補正方法】変更
【補正の内容】
【図３】
2015121392.tif 000011
【手続補正４】
【補正対象書類名】図面
【補正対象項目名】図５
【補正方法】変更
【補正の内容】
【図５】
2015121392.tif 000012